(57)【要約】      （修正有）【課題】TV用の近距離無線送受信装置において、映像が途切れなく、かつ低消費電力の送受信装置を提供する。【解決手段】映像ソースを持つステーション側の送信周波数帯と受信周波数帯が異なる送受信部を設け、表示するパネル側にステーション側の送信周波数帯に対応する周波数を受信できる受信部、およびステーション側の受信周波数帯に対応する周波数を送信できる送信部を設ける構成とし、送受信の周波数帯を離したＦＤＤにより送受信が同時動作可能とする。パネル側の送信部の周波数は、ステーション側で空き周波数を走査し、走査結果に基づき決定される構成とし、パネル送信の際の他システムからの干渉が回避できる構成とする。【選択図】図１
2010252060.tif 000002
【特許請求の範囲】
【請求項１】
第１の周波数で送信する送信部と、第１の周波数と異なる第２の周波数で受信する受信部を有し、該送信部で映像データを送信するステーション側送受信装置と、
前記第２の周波数で送信する送信部と、前記第１の周波数で受信する受信部を有し、該受信部で前記映像データを受信し、該送信部で映像データの誤りを訂正するための再送データを再送要求するパネル側送受信装置と、からなる送受信システムにおける送受信方法であって、
前記ステーション側送受信装置の受信部で、予め設定された複数の受信周波数ごとに、他のシステムからの信号を受信するかどうかを検知し、
前記他のシステムからの信号を受信しない場合の受信周波数を第２の周波数として、前記ステーション側送受信装置の送信部から前記パネル側送受信装置の受信部に通知し、
前記パネル側送受信装置の送信部は、通知された第２の周波数で、前記再送要求を行うことを特徴とする送受信システムにおける送受信方法。
【請求項２】
前記他のシステムからの信号を受信した場合には、予め設定された複数の周波数のうちの別の周波数で、他のシステムからの信号を受信するかどうかを検知し、
前記他のシステムからの信号を受信しない場合に、第２の周波数として、別の周波数に切り替えることを特徴とする請求項１に記載の送受信システムにおける送受信方法。
【請求項３】
前記ステーション側送受信装置及び前記パネル側送受信装置では、送受信されるデータに対し、ガードインターバルを含むＯＦＤＭ方式の変復調を行い、
前記別の周波数への切り替えを前記ガードインターバルのタイミングで行うことを特徴とする請求項２に記載の送受信システムにおける送受信方法。
【請求項４】
前記ステーション側送受信装置及び前記パネル側送受信装置で送受信されるデータのフレーム構成にインターバルを設け、
前記別の周波数への切り替えを前記インターバルのタイミングで行うことを特徴とする請求項２に記載の送受信システムにおける送受信方法。
【請求項５】
前記パネル側送受信装置で、受信部で受信された前記映像データの誤りを検出し、
前記映像データの誤りを検出した場合に、前記パネル側送受信装置の送信部を起動し、
起動された送信部が、通知された受信周波数で、前記再送要求を行うことを特徴とする請求項１に記載の送受信システムにおける送受信方法。
【請求項６】
前記ステーション側送受信装置の受信部で、前記再送要求を受け、
前記ステーション側送受信装置で、前記再送要求に基づき、映像データの誤りを訂正するための再送データを生成し、
前記ステーション側送受信装置の送信部で、生成された再送データを送信し、
前記パネル側送受信装置の受信部で、送信された再送データを受信し、
前記パネル側送受信装置で、受信した再送データをもとに誤り訂正を行い、
前記誤り訂正が完了した場合に、前記パネル側送受信装置の送信部から前記ステーション側送受信装置の受信部に誤り訂正の完了を通知し、
誤り訂正の完了が通知されると、前記ステーション側送受信装置の送信部で、再送データの送信を停止し、
前記パネル側送受信装置の受信部で、再送データを受信しなくなると、前記パネル側送受信装置の送信部の起動を停止することを特徴とする請求項５に記載の送受信システムにおける送受信方法。
【請求項７】
前記ステーション側送受信装置の送信部による再送データの送信を、誤り訂正の完了の通知に関わらず、一定時間経過後に停止することを特徴とする請求項６に記載の送受信システムにおける送受信方法。
【請求項８】
前記パネル側送受信装置の送信部からの誤り訂正の完了の通知を、一定時間経過後に停止し、前記パネル側送受信装置の送信部の起動を停止することを特徴とする請求項６に記載の送受信システムにおける送受信方法。
【請求項９】
前記ステーション側送受信装置及び前記パネル側送受信装置で、映像データ及び再送要求が送受信される前に、送信する電力を制御するための制御情報を送受信することを特徴とする請求項５に記載の送受信システムにおける送受信方法。
【請求項１０】
前記第１の周波数は第２の周波数と２倍以上異なることを特徴とする請求項１に記載の送受信システムにおける送受信方法。
【請求項１１】
前記ステーション側送受信装置の送信部では、前記第２の周波数から周波数変換した前記第１の周波数で送信し、
前記パネル側送受信装置の受信部では、前記第１の周波数で受信し、該第１の周波数から前記第２の周波数に周波数変換することを特徴とする請求項１に記載の送受信システムにおける送受信方法。
【発明の詳細な説明】
【技術分野】
【０００１】
本発明は送受信システムにおける送受信方法に関し、特に高速・高信頼性・低消費電力化の無線通信技術に関するものである。
【背景技術】
【０００２】
TVの映像を近距離無線伝送する方法として、電波利用のライセンス料を必要としない、国際的に免許不要なISM（Industrial Scientific Medical）バンドの2.4GHz帯や5GHz帯の周波数帯を用いた無線LAN（Local Area Network）、ＷＨＤＩ（Wireless High Definition Interface）、ＵＷＢ（Ultra Wide Band）などがある。何れの通信方式も40Mbps以上の高速通信によって、TV映像の無線伝送が可能である。また、非特許文献１に示す６０GHｚ帯のミリ波を用いたWireless HDが検討されており、周波数帯域が広いため高速映像伝送の方法として期待されている。TV映像の近距離無線伝送においては、視聴中に映像途切れを起こさないことが要求される。また、家電製品においては消費電力削減も強く要求されている。また、映像の伝送手段には限定してはいないが、コストと高速伝送を考えた場合、特許文献１に示すように、６０ＧＨｚ帯のミリ波と２．４ＧＨｚ帯や５ＧＨｚ帯の伝送を組み合わせた方式も考えられている。
【先行技術文献】
【特許文献】
【０００３】
【特許文献１】特開２００２-１２４９１６
【非特許文献】
【０００４】
【非特許文献１】Wireless HD Specification Version 1.0 Overview
【発明の概要】
【発明が解決しようとする課題】
【０００５】
しかしながら、非特許文献１が示すような従来の技術は送受信方式が半２重通信TDD（Time Division Duplexing）であり、データの誤りが判明した場合は再送要求を出すために受信を中断する必要がある。送信と受信を切替えるのは時間がかかるため、映像が途切れる課題がある。
【０００６】
また、２．４ＧＨｚ帯や５ＧＨｚ帯などでは、他の無線システムと共用可能であるため、他の無線システムからの干渉が懸念され、干渉が起こった場合も映像が途切れる恐れがある。
【０００７】
ここで、特許文献１に示されているように、送受信方式に全２重通信可能なＦＤＤ（Frequency Division Duplexing）を用いて、映像伝送を６０ＧＨｚ帯で行い、再送要求の伝送を２．４ＧＨｚ帯や５ＧＨｚ帯などで行うようにすれば、データの誤りが発生した場合においても、映像を受信しながら誤り訂正のための再送要求を送信することが出来るため、映像が途切れることなく再送要求を送受信することが可能となる。
【０００８】
しかしながら、再送要求の伝送を２．４ＧＨｚ帯や５ＧＨｚ帯などで行うため、再送要求の伝送には、他の無線システムからの干渉による障害の恐れがある。
【０００９】
また、この方法では、再送要求の送信時に常に通電状態となるため、消費電力が大きくなるという問題がある。
【００１０】
本発明は、TV用の近距離無線送受信装置において、上記課題を鑑み、映像が途切れないようにするとともに、障害なく映像データの誤り訂正を行うことができ、かつ、消費電力を抑制することのできる送受信装置を提供することを目的とする。
【課題を解決するための手段】
【００１１】
上記課題を解決するために、本発明では、第１の周波数で送信する送信部と、第１の周波数と異なる第２の周波数で受信する受信部を有し、該送信部で映像データを送信するステーション側送受信装置と、前記第２の周波数で送信する送信部と、前記第１の周波数で受信する受信部を有し、該受信部で前記映像データを受信し、該送信部で映像データの誤りを訂正するための再送データを再送要求するパネル側送受信装置と、からなる送受信システムにおける送受信方法であって、前記ステーション側送受信装置の受信部で、予め設定された複数の受信周波数ごとに、他のシステムからの信号を受信するかどうかを検知し、前記他のシステムからの信号を受信しない場合の受信周波数を第２の周波数として、前記ステーション側送受信装置の送信部から前記パネル側送受信装置の受信部に通知し、前記パネル側送受信装置の送信部は、通知された第２の周波数で、前記再送要求を行うことを特徴とする送受信システムにおける送受信方法を提供する。
【００１２】
なお、上記方法において、前記他のシステムからの信号を受信した場合には、予め設定された複数の周波数のうちの別の周波数で、他のシステムからの信号を受信するかどうかを検知し、前記他のシステムからの信号を受信しない場合に、第２の周波数として、別の周波数に切り替える。
【００１３】
本方法によれば、映像データに誤りがあった場合でも、再送要求を第２の周波数で送受信するとともに、映像データを第１の周波数で送受信し続けるため、映像データが途切れることがなくなる。
【００１４】
さらに、再送要求の送受信を行うにあたって、他のシステムからの信号を受信しない周波数を用いるため、他のシステムからの干渉を回避することができる。
【００１５】
さらに、上記方法において、前記パネル側送受信装置で、受信部で受信された前記映像データの誤りを検出し、前記映像データの誤りを検出した場合に、前記パネル側送受信装置の送信部を起動し、起動された送信部が、通知された受信周波数で、前記再送要求を行うようにする。
【００１６】
なお、上記方法において、前記ステーション側送受信装置の受信部で、前記再送要求を受け、前記ステーション側送受信装置で、前記再送要求に基づき、映像データの誤りを訂正するための再送データを生成し、前記ステーション側送受信装置の送信部で、生成された再送データを送信し、前記パネル側送受信装置の受信部で、送信された再送データを受信し、前記パネル側送受信装置で、受信した再送データをもとに誤り訂正を行い、前記誤り訂正が完了した場合に、前記パネル側送受信装置の送信部から前記ステーション側送受信装置の受信部に誤り訂正の完了を通知し、誤り訂正の完了が通知されると、前記ステーション側送受信装置の送信部で、再送データの送信を停止し、前記パネル側送受信装置の受信部で、再送データを受信しなくなると、前記パネル側送受信装置の送信部の起動を停止するようにする。
【００１７】
また、上記方法において、前記ステーション側送受信装置及び前記パネル側送受信装置で、映像データ及び再送要求が送受信される前に、送信する電力を制御するための制御情報を送受信するようにする。
【００１８】
本方法によれば、前記映像データの誤りを検出しない間、送受信を停止させることができる。また、送信する電力を制御するための制御情報により、最適な送信電力による送受信が可能となる。このため、装置の消費電力を抑制することができる。
【発明の効果】
【００１９】
本発明によれば、低消費電力、高信頼、使い勝手良い、低コストの近距離無線送受信装置を提供できる。
【図面の簡単な説明】
【００２０】
【図１】第１の実施の形態における近距離無線送受信装置の構成の概略を示す図である。
【図２】第１の実施の形態における近距離無線送受信装置の構成の詳細を示す図である。
【図３】第１の実施の形態におけるＳＴＡ  ＢＢＬＳＩ１およびパネルＢＢＬＳＩ１１の構成を示す図である。
【図４】第１の実施の形態におけるＳＴＡ側送受信動作及びキャリアセンスの動作を示すフローチャートならびにキャリアセンスの順序を示す図である。
【図５】第１の実施の形態におけるパネル側送受信動作を示すフローチャートである。
【図６】第１の実施の形態における近距離無線送受信装置の動作を示すフローチャートである。
【図７】第１の実施の形態におけるプリアンブル、ＧＩ、制御信号、映像データ、パネル送信周波数情報の情報を含むＳＴＡ側送信フレームの構成を示す図である。
【図８】第１の実施の形態におけるプリアンブル、ＧＩ、制御信号、再送要求を含むパネル側送信フレームの構成を示す図である。
【図９】第１の実施の形態におけるＧＩ、映像信号、再送データの情報を含むＳＴＡ側送信サブフレームの構成を示す図である。
【図１０】第１の実施の形態におけるＧＩ、誤り補正完了ＡＣＫの情報を含むパネル側送信サブフレームの構成を示す図である。
【図１１】第１の実施の形態におけるステーション側信号周波数構成を示す図である。
【図１２】第１の実施の形態におけるパネル側信号周波数構成を示す図である。
【図１３】第２の実施の形態における近距離無線送受信装置の構成の詳細を示す図である。
【図１４】第２の実施の形態におけるステーション側信号周波数構成を示す図である。
【図１５】第２の実施の形態におけるパネル側信号周波数構成を示す図である。
【図１６】第３の実施の形態におけるパネル側キャリアセンスの順序およびゲイン、シンボルタイミングの記憶結果を示す図である。
【図１７】第３の実施の形態におけるＳＴＡ側送受動作を示すフローチャートである。
【図１８】第３の実施の形態におけるパネル側送受信動作を示すフローチャートである。
【図１９】第３の実施の形態における近距離無線送受信装置の動作を示すフローチャートである。
【図２０】第３の実施の形態におけるプリアンブル、ＧＩ、制御信号、映像データ、パネル送信周波数情報の情報を含むＳＴＡ側送信フレームのタイムチャートを示す図である。
【図２１】第４の実施の形態における近距離無線送受信装置の構成の概略を示す図である。
【図２２】第４の実施の形態におけるキャリアセンスの動作を示すフローチャートである。
【図２３】第４の実施の形態におけるＭＩＭＯ構成の近距離無線送受信装置の構成の概略を示す図である。
【図２４】第５の実施の形態におけるプリアンブル、ＧＩ、映像信号、パネル送信周波数情報、パネル  ＴＰＣ情報の情報を含むＳＴＡ側送信フレームの構成を示す図である。
【図２５】第５の実施の形態におけるプリアンブル、ＧＩ、制御信号、ＳＴＡ  ＴＰＣ情報の情報を含むパネル側送信フレームの構成を示す図である。
【図２６】第５の実施の形態におけるＳＴＡ側送信電力制御の動作を示すフローチャートである。
【図２７】第５の実施の形態におけるパネル側送信電力制御の動作を示すフローチャートである。
【図２８】第５の実施の形態におけるＴＰＣ情報の計算動作を示すフローチャートである。
【図２９】第６の実施の形態におけるディスプレイパネル構成の概略を示す図である。
【図３０】第７の実施の形態におけるＲＦリモコン構成の概略を示す図である。
【発明を実施するための形態】
【実施例１】
【００２１】
以下、本発明の第１の実施形態を図１から図１２を用いて説明する。
【００２２】
図１において、ステーション（ＳＴＡ）側無線システムはＳＴＡ  ＢＢＬＳＩ１と５Ｇ ＩＦ  Ｔｘ ／ Ｒｘ部２と６０Ｇ Ｔｘ部３と６０Ｇアンテナ４と５Ｇアンテナ５から構成され、パネル側無線システムはパネル  ＢＢＬＳＩ１１と５Ｇ ＩＦ  Ｒｘ ／ Ｔｘ部１２と６０Ｇ Ｒｘ部１３と６０Ｇアンテナ１４と５Ｇアンテナ１５から構成される。
【００２３】
本構成により、前記ステーション側無線システムによって、映像等のデータの復調単位を示すサブフレームで構成されるフレームを無線で送信し、前記パネル側無線システムによって受信する下り通信を行う。
【００２４】
この下り通信において、前記ステーション側無線システムを構成するＳＴＡ  ＢＢＬＳＩ１によって映像等のデータを変調し、５Ｇ ＩＦ  Ｔｘ ／ Ｒｘ部２で増幅および５ＧＨｚ帯のＩＦ信号に周波数変換を行い、６０Ｇ Ｔｘ部３によって６０ＧＨｚ帯のＲＦ信号に周波数変換を行い、ＲＦ信号は増幅後に６０Ｇアンテナ４から送信される。パネル側無線システムでは６０Ｇアンテナ１４で受信したステーション側無線システムから送信されたＲＦ信号を、６０Ｇ Ｒｘ部１３によって増幅およびＩＦ信号に周波数変換を行い、前記ＩＦ信号は５Ｇ ＩＦ  Ｒｘ ／ Ｔｘ部１２によってベースバンド信号に周波数変換され、パネル  ＢＢＬＳＩ１１によって復調されることによって、映像等のデータがステーションとパネル間で無線伝送される。
【００２５】
また、上記構成により、前記前記パネル側無線システムによって、再送要求等のデータの復調単位を示すサブフレームで構成されるフレームを無線で送信し、ステーション側無線システムによって受信する上り通信を行う。
【００２６】
この上り通信において、前記パネル側無線システムを構成するパネルＢＢＬＳＩ１１によって再送要求等のデータを変調し、５Ｇ ＩＦ  Ｒｘ ／ Ｔｘ部１２で増幅および５ＧＨｚ帯のＲＦ信号に周波数変換を行い、ＲＦ信号は増幅後に５Ｇアンテナ１５から送信される。ステーション側無線システムでは５Ｇアンテナ５で受信したパネル側無線システムから送信されたＲＦ信号を、５Ｇ ＩＦ  Ｔｘ ／ Ｒｘ部２によって増幅、ベースバンド信号に周波数変換され、ＳＴＡ  ＢＢＬＳＩ１によって復調されることによって、再送要求等のデータがステーションとパネル間で無線伝送される。
【００２７】
次に、５Ｇ ＩＦ  Ｔｘ ／ Ｒｘ部２と６０Ｇ Ｔｘ部３および５Ｇ ＩＦ  Ｒｘ ／ Ｔｘ部１２と６０Ｇ Ｒｘ部１３の構成を、図２を用いて説明する。
【００２８】
５Ｇ ＩＦ  Ｔｘ ／ Ｒｘ部２はＳＴＡ送信ベースバンド信号処理部２０、ＳＴＡ送信直交ミキサ２１、ＳＴＡ送信ＩＦ増幅器２２、ＳＴＡ送信９０度移相器２５、ＳＴＡ受信ＶＣＯ２８、ＳＴＡ受信９０度移相器２９、ＳＴＡ受信ベースバンド信号処理部３０、ＳＴＡ受信直交ミキサ３１、ＳＴＡ受信ＬＮＡ３２から構成される。
【００２９】
送信動作時は、ＳＴＡ  ＢＢＬＳＩ１からの送信ベースバンド信号入力をＳＴＡ送信ベースバンド信号処理部２０にて不要波をフィルタリング、および増幅する。その後、ＳＴＡ送信直交ミキサ２１に入力された信号は、ＳＴＡ送信９０度移相器２５が出力する送信ＩＦ直交ＬＯ信号とのミキシングにより、送信ベースバンド帯域から５ＧＨｚ帯の送信ＩＦ信号へとアップコンバートされる。送信ＩＦ直交ＬＯ信号は同相および直交位相を持つ２信号から成り、ＳＴＡ送信９０度移相器２５において、６０Ｇ Ｔｘ部３のＳＴＡ送信分周器２６から出力される送信ＩＦＬＯ信号を２分の１分周することにより生成される。送信ＩＦ信号は、ＳＴＡ送信ＩＦ増幅器２２によって増幅され、６０Ｇ Ｔｘ部３へ出力される。受信動作時は、５Ｇアンテナ５から入力される受信ＲＦ信号をＳＴＡ受信ＬＮＡ３２で増幅し、増幅された受信ＲＦ信号はＳＴＡ受信直交ミキサ３１にて、ＳＴＡ受信９０度移相器２９が出力する受信直交ＬＯ信号と増幅された受信ＲＦ信号をミキシングし、受信ベースバンド信号をＳＴＡ受信ベースバンド信号処理部３０へ出力する。ＳＴＡ受信ベースバンド信号処理部３０では妨害波をフィルタリングし、所望波を増幅し、STA  ＢＢＬＳＩ１に出力する。受信直交ＬＯ信号は同相および直交位相を持つ２信号から成り、ＳＴＡ受信９０度移相器２９において、ＳＴＡ受信ＶＣＯ２８から出力される受信ＬＯ信号を２分の１分周することにより生成される。
【００３０】
６０Ｇ Ｔｘ部３はＳＴＡ送信ＲＦミキサ２３、ＳＴＡ送信ＲＦ増幅器２４、ＳＴＡ送信分周器２６、ＳＴＡ送信ＲＦＶＣＯ２７から構成される。
【００３１】
送信動作時は、５Ｇ ＩＦ  Ｔｘ ／ Ｒｘ部２の出力信号の送信ＩＦ信号とＳＴＡ送信ＲＦＶＣＯ２７から出力される送信ＲＦＬＯ信号とのミキシングにより、５ＧＨｚ帯の送信ＩＦ信号から６０ＧＨｚ帯の送信ＲＦ信号へとアップコンバートされる。送信ＲＦ信号は、ＳＴＡ送信ＲＦ増幅器２４により増幅され、６０Ｇアンテナ４へと出力される。一方、ＳＴＡ送信ＲＦＶＣＯ２７から出力される送信ＲＦＬＯ信号はＳＴＡ送信分周器２６へも入力され、送信ＲＦＬＯ信号は分周され、送信ＩＦ信号の２倍の周波数帯である１０ＧＨｚ帯の送信ＩＦＬＯ信号をＳＴＡ送信９０度移相器２５へ出力する。
【００３２】
６０Ｇ Ｒｘ部１３はパネル受信ＲＦＬＮＡ４３、パネル受信ＲＦミキサ４４、パネル受信分周器４６、パネル受信ＲＦＶＣＯ４７から構成される。
【００３３】
受信動作時は、６０Ｇアンテナ１４から入力される受信ＲＦ信号をパネル受信ＲＦＬＮＡ４３で増幅し、増幅された受信ＲＦ信号はパネル受信ＲＦミキサ４４にて、パネル受信ＲＦＶＣＯ４７が出力する受信ＲＦＬＯ信号とミキシングされ、受信ＩＦ信号として５Ｇ ＩＦ  Ｒｘ ／ Ｔｘ部１２へ出力される。一方、パネル受信ＲＦＶＣＯ４７から出力される受信ＲＦＬＯ信号はパネル受信分周器４６へも入力され、受信ＲＦＬＯ信号は分周され、受信ＩＦ信号の２倍の周波数帯である１０ＧＨｚ帯の受信ＩＦＬＯ信号をパネル受信９０度移相器４５へ出力する。
【００３４】
５Ｇ ＩＦ  Ｒｘ ／ Ｔｘ部１２はパネル受信ベースバンド信号処理部４０、パネル受信直交ミキサ４１、パネル受信ＩＦＬＮＡ４２、パネル受信９０度移相器４５、パネル送信ＶＣＯ４８、パネル送信９０度移相器４９、パネル送信ベースバンド信号処理部５０、パネル送信直交ミキサ５１、パネル送信増幅器５２から構成される。
【００３５】
受信動作時は、６０Ｇ  Ｒｘ部１３から入力される受信ＩＦ信号をパネル受信ＩＦＬＮＡ４２で増幅し、増幅された受信ＩＦ信号はパネル受信直交ミキサ４１にて、パネル受信９０度移相器４５が出力する受信ＩＦ直交ＬＯ信号とミキシングされ、受信ベースバンド信号としてパネル受信ベースバンド信号処理部４０へ出力される。パネル受信ベースバンド信号処理部４０では妨害波をフィルタリングし、所望波を増幅し、パネル  ＢＢＬＳＩ１１に出力する。受信ＩＦ直交ＬＯ信号は同相および直交位相を持つ２信号から成り、パネル受信９０度移相器４５において、６０Ｇ  Ｒｘ部１３のパネル受信分周器４６から出力される受信ＩＦＬＯ信号を２分の１分周することにより生成される。
【００３６】
送信動作時は、パネル  ＢＢＬＳＩ１１からの送信ベースバンド信号入力をパネル送信ベースバンド信号処理部５０にて不要波をフィルタリング、および増幅する。その後、パネル送信直交ミキサ５１に入力された信号は、パネル送信９０度移相器４９が出力する送信直交ＬＯ信号とのミキシングにより、送信ベースバンド帯域から５ＧＨｚ帯の送信ＲＦ信号へとアップコンバートされる。送信直交ＬＯ信号は同相および直交位相を持つ２信号から成り、パネル送信９０度移相器４９において、パネル送信ＶＣＯ４８から出力される送信ＬＯ信号を２分の１分周することにより生成される。送信ＲＦ信号は、パネル送信増幅器５２によって増幅され、５Ｇアンテナ１５へ出力される。
【００３７】
上記構成のステーション側における送信ベースバンド信号、送信ＩＦ信号、送信ＲＦ信号、送信ＩＦ直交ＬＯ信号、送信ＩＦＬＯ信号、送信ＲＦＬＯ信号、受信ベースバンド信号、受信ＲＦ信号、受信直交ＬＯ信号、受信ＬＯ信号、STA送信分周器の分周比の一例を図１１に示す。また、パネル側における受信ベースバンド信号、受信ＩＦ信号、受信ＲＦ信号、受信ＩＦ直交ＬＯ信号、受信ＩＦＬＯ信号、受信ＲＦＬＯ信号、送信ベースバンド信号、送信ＲＦ信号、送信直交ＬＯ信号、送信ＬＯ信号、パネル受信分周器４６の分周比の一例を図１２に示す。下り通信の周波数チャンネルについて、ｃｈ１は６５GHｚ、ｃｈ２は６８GHｚと規定されている場合、図１１、図１２のようにSTA送信分周器の分周比およびパネル受信分周器４６の分周比を６に固定し、ステーション側送信ＲＦＬＯ信号とパネル側受信ＲＦＬＯ信号がｃｈ１なら６０GHｚ、ｃｈ２なら６２．７６９GHｚと変更することにより周波数チャンネルを切替えることが可能となる。上り通信の周波数チャンネルはキャリアセンスによって決定され、キャリアが無い間はステーション側における受信ＲＦ信号およびパネル側における送信ＲＦ信号は５．５ＧＨｚに決定される。
【００３８】
次に、ＳＴＡ  ＢＢＬＳＩ１およびパネルＢＢＬＳＩ１１の構成を、図３を用いて説明する。
【００３９】
ＳＴＡ  ＢＢＬＳＩ１はＡ／Ｄ変換器７０、信号レベル測定部７１、同期部７２、ＯＦＤＭ復調部７３、Ｄ／Ａ変換部８０、波形整形部８１、振幅制御部８２、ＯＦＤＭ変調部８３、制御部９１、バッファ部９２から構成される。
【００４０】
送信動作時は、バッファ部９２に入力された送信データを制御部９１によって取り出し、ＯＦＤＭ変調部８３に送信データを出力する。ＯＦＤＭ変調部８３では、送信データをＯＦＤＭ変調し、変調信号を出力する。変調信号は振幅制御部８２にて、振幅を微調整され、波形整形部８１にてフィルタリングされ、Ｄ／Ａ変換器８０に入力される。Ｄ／Ａ変換器８０では、変調信号のデジタル信号をアナログ信号に変換し、送信ベースバンド信号を出力する。受信動作時は、Ａ／Ｄ変換器７０において、入力される受信ベースバンド信号のＡ／Ｄ変換を行い、信号レベル測定部７１に出力する。信号レベル測定部７１で、入力された信号レベルを測定し、予め定めた閾値以上であれば、信号入力ありと判断して、Ａ／Ｄ変換器７０が出力するレベルが予め定めた所定値になるように、５Ｇ ＩＦ  Ｔｘ ／ Ｒｘ部２の増幅率を調整する。この増幅率を最適値に制御する処理をＡＧＣ（Ａｕｔｏｍａｔｉｃ  Ｇａｉｎ  Ｃｏｎｔｒｏｌ）と呼ぶ。信号レベル測定部７１が出力する信号は同期部７２によって、キャリア周波数誤差の調整、シンボルタイミングの同期が取られ、ＯＦＤＭ復調部７３に入力される。ＯＦＤＭ復調部７３は、入力信号をＯＦＤＭ復調し、制御部９１に復調信号を出力する。制御部９１では、フレームエラーを判定後、復調信号のうちに再送要求の有無を検出する。再送要求を検出した場合は、バッファ９２に蓄えられたデータから再送すべき送信データを生成し、データ保持時間を設定し、バッファ部９２に蓄える。バッファ部９２に蓄えられた再送データは、送信データとして送信動作時に送信される。再送要求が無かった送信データは、正しく受信が完了したと判断し、バッファから消すか、新たな送信データが書き込まれる場合は上書きされる。一方、前記バッファ部９２に蓄えられた再送データはデータ保持時間が経過するまで、上書き、消去されないように保護される。
【００４１】
ここで、データ保持時間について説明する。データ保持時間は、ＳＴＡとパネル側のバッファ部９２の容量、あるいはパネル側で誤り検出からデータを補正するまでの時間と映像データが何秒間バッファリングされてパネルに表示されるかによって決定される。例えば、パネル側のバッファ部９２の容量がない場合、映像が保持できないため、パネル側で受信したデータは即座にパネルに表示される。これは映像が保持できないことを示し、データ保持時間は０秒となる。または、パネル側で誤り検出からデータを補正するまでの時間が１秒かかり、映像データが２秒間バッファリングされてパネルに表示される場合は、データ保持時間は１秒となる。
【００４２】
パネルＢＢＬＳＩ１１はＳＴＡ  ＢＢＬＳＩ１とほぼ同様な構成であり、Ａ／Ｄ変換器７０、信号レベル測定部７１、同期部７２、ＯＦＤＭ復調部７３、Ｄ／Ａ変換器８０、波形整形部８１、振幅制御部８２、ＯＦＤＭ変調部８３、制御部９１、バッファ部９２から構成され、Ａ／Ｄ変換器７０とＤ／Ａ変換器８０のサンプリングレートや分解能、ダイナミックレンジ等の性能が異なる。送信動作時は、バッファ部９２に入力された送信データを制御部９１によって取り出し、ＯＦＤＭ変調部８３に送信データを出力する。ＯＦＤＭ変調部８３では、送信データをＯＦＤＭ変調し、変調信号を出力する。変調信号は振幅制御部８２にて、振幅を微調整され、波形整形部８１にてフィルタリングされ、Ｄ／Ａ変換器８０に入力される。Ｄ／Ａ変換器８０では、変調信号のデジタル信号をアナログ信号に変換し、送信ベースバンド信号を出力する。受信動作時は、Ａ／Ｄ変換器７０において、入力される受信ベースバンド信号のＡ／Ｄ変換を行い、信号レベル測定部７１に出力する。信号レベル測定部７１で、入力された信号レベルを測定し、予め定めた閾値以上であれば、信号入力ありと判断して、Ａ／Ｄ変換器７０が出力するレベルが予め定めた所定値になるように、５Ｇ ＩＦ  Ｒｘ ／ Ｔｘ部１２の増幅率を調整する。信号レベル測定部７１が出力する信号は同期部７２によって、キャリア周波数誤差の調整、シンボルタイミングの同期が取られ、ＯＦＤＭ復調部７３に入力される。ＯＦＤＭ復調部７３は、入力信号をＯＦＤＭ復調し、制御部９１に復調信号を出力する。制御部９１では、フレームエラーを判定後、復調信号のうちに再送データの有無を検出する。誤りが無い復調データはバッファ部９２に蓄え、一定時間バッファリング後にパネルに映像が表示される。もし、復調信号のうちに誤りの無い再送データを検出した場合は、再送データを用いて誤りのあった映像データを補正する。誤りデータがあった場合は、誤りデータの情報を含む再送要求を生成し、データ保持時間を設定後、バッファ部９２に蓄える。再送要求は、送信データとして送信動作時に送信される。バッファ部９２に蓄えられた映像データは、パネルに映像を表示後は消去されるか、次の映像データで上書きされる。一方、前記バッファ部９２に蓄えられた再送要求はデータ保持時間が経過するまで、上書き、消去されないように保護される。
【００４３】
次にＳＴＡ側の送受信動作を図４（ａ）のフローチャートを用いて説明する。まず、５ＧＨｚの周波数帯のうち、利用できる周波数を確認するために、キャリアセンスを行う。キャリアセンスによって、キャリアが無い周波数は空き周波数として、パネル送信周波数情報に設定する。キャリアセンスにおいて、キャリアがあった場合は、その周波数チャンネルは使用されると判断し、他の周波数チャンネルを設定する（Ｓ３０）。キャリアセンス後、６０ＧＨｚ帯で復調に必要な制御情報を送信する（Ｓ３１）。次に、パネル送信周波数情報と映像データを制御情報に基づいた変調方式で変調し、パネル側に向け送信する（Ｓ３２）。もし、５ＧＨｚ帯でキャリアを受信した場合、受信データ内にパネルが送信した再送要求の有無を確認する（Ｓ３３）。もし、再送要求が無く、パネルのデータ以外の場合は、他の機器からの送信データなので、キャリアセンス動作を再度行い、空き周波数をパネル送信周波数情報として再設定する（Ｓ３７）。もし、再送要求を検出した場合は、再送要求内の情報に基づき、再送データを生成し（Ｓ３４）、再送データを送信する（Ｓ３５）。その後、誤り補正完了ＡＣＫを受信するか、データ保持時間が経過するまで、再送データの送信を継続する。誤り補正完了ＡＣＫを受信、あるいは、データ保持時間を経過した場合は、再び映像データ送信を継続する（Ｓ３６）。
【００４４】
ここで、ＳＴＡのキャリアセンスの詳細動作を図４（ｂ）のフローチャートおよび図４（ｃ）のパネル送信周波数テーブルを用いて説明する。パネル送信周波数テーブルは制御部９１に予め記憶される。
【００４５】
初めにステーション側の受信直交ＬＯ信号をサーチ順序１の行に示す周波数に設定することにより、前記周波数のキャリアを受信可能なようにする（Ｓ６５）。一定時間信号入力がない場合はキャリアなしと判断し（Ｓ６６）、現在設定している受信周波数をパネル送信周波数として設定する（Ｓ６８）。信号入力があった場合は、キャリアありと判断し、次のサーチ順序の周波数に設定する（Ｓ６７）。次のサーチ順序が無い場合は、始めのサーチ順序に戻り、キャリアの有無を判断し続ける。
【００４６】
次にパネル側の送受信動作を図５のフローチャートを用いて説明する。まず、ＳＴＡから送信される制御情報を受信する（Ｓ２０）。この制御情報に基づいて送信信号を復調し、パネル送信周波数情報、映像データを復調する（Ｓ２１）。映像データ受信中に、映像データの誤り検出を行う（Ｓ２２）。映像データに誤りが検出された場合は、パネル送信器を起動する。このとき、パネル送信器の送信周波数は前記パネル送信周波数情報に基づき設定する（Ｓ２３）。パネル送信器の起動を終えたら、パネル側の送信信号の復調に必要な制御情報と再送要求を送信する（Ｓ２４）。誤り検出がされてからデータ保持時間の経過を判断し（Ｓ２５）、パネル送信器を停止する（Ｓ４１）。経過したと判断した場合は、ＳＴＡ側が送信した映像データを含むデータ中に再送データの有無の判断を行い（Ｓ２６）、再送データが無いと判断した場合は、再び再送要求を送信する。再送データを受信した場合、前記再送データに基づき誤ったデータの補正を行う（Ｓ２７）。前記データの補正完了後、誤り補正が完了した旨をＳＴＡ側に誤り補正完了ＡＣＫとして送信する（Ｓ２８）。その後、データ保持時間の経過を判断し（Ｓ２９）、経過したと判断した場合はパネル送信器を停止する。データ保持時間を経過していない場合は、ＳＴＡ側が送信した映像データを含むデータ中に再送データの有無の判断を行い（Ｓ４０）、再送データが無いと判断した場合は、パネル送信器を停止する。再送データがある場合は、ＳＴＡ側が誤り補正完了ＡＣＫを正常に受信できていない可能性があるため、再度誤り補正完了ＡＣＫを送信する。
【００４７】
次に、再送、補正処理を含んだ映像が伝送される流れを、図６を用いて説明する。
【００４８】
ステーション側では５ＧＨｚ帯のキャリアセンスを行い、パネル送信周波数情報を設定する（Ｓ１）。次にT0のタイミングにて、図７に示すＯＦＤＭ復調に必要なプリアンブル、ＧＩ（Ｇｕａｒｄ  Ｉｎｔｅｒｖａｌ）、制御信号に続けて、映像データおよび前記パネル送信周波数情報の情報を含むサブフレームを送信する（Ｓ２）。ＧＩは、ＯＦＤＭのシンボルを分離するのに必要である。パネル側では、受信したプリアンブル、制御信号によってＯＦＤＭを復調し、映像データおよびパネル送信周波数情報の情報を得て、前記パネル送信周波数情報の情報からパネル側送信周波数の設定を開始する（Ｓ３）。ステーション側では、Ｔ１のタイミングで、次の映像データおよびパネル送信周波数情報の情報を送信する（Ｓ４）。パネル側では、サブフレーム喪失を検出すると（Ｓ５）、Ｔ１´のタイミングでパネル側送信部を起動し、図８に示すようなプリアンブル、ＧＩ、制御信号に続き、喪失したデータがどのデータかを示す誤り情報を付加した再送要求を、ステーション側に送信する（Ｓ６）。ステーション側では、プリアンブル、制御信号によってＯＦＤＭ信号を復調し、前記誤り情報を付加した情報に基づき、再送データを生成し（Ｓ７）、図９に示すサブフレームのように、映像データに再送データを付加してパネル側に送信する（Ｓ８）。パネル側では再送データによって映像データを補正し（Ｓ９）、誤り補正がＴ２´のタイミングで完了したら、図１０に示すような誤り補正完了ＡＣＫを含むサブフレーム送信する（Ｓ１０）。ステーション側で誤り補正完了ＡＣＫを受け取ったら、次のフレームタイミングであるＴ３のタイミングにおいて、映像データと空き周波数情報をパネル側に送信する（Ｓ１１）。パネル側では、受信データに再送データおよびデータロストが無いことを確認したら、パネル側の送信部を停止する（Ｓ１２）。
以上に示したように、ＦＤＤにより、映像を受信しながら誤り訂正を可能とすることができる。また、ステーション側およびパネル側の無線システムは同一周波数帯の送受信器を持たないが、ステーション側でキャリアセンスを行い、パネル側に空き周波数情報を送信し、前記空き周波数情報に基づいた送信周波数でパネル側が送信するため、パネル側送信周波数は他の無線システムとの衝突を回避できる。即ち、無線ＬＡＮで広く採用されているＣＳＭＡ／ＣＡ（Ｃａｒｒｉｏｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）と同様の制御が可能となる。誤りを検出したときだけパネル側が送信動作するため、携帯電話の通信規格であるＷ―ＣＤＭＡ（Ｗｉｄｅｂａｎｄ  Ｃｏｄｅ  Ｄｉｖｉｓｉｏｎ  Ｍｕｌｔｉｐｕｌ  Ａｃｃｅｓｓ）のＦＤＤ方式のように、通信中は常に送信を起動させておく必要が無くなり、大幅な低消費電力化が可能となる。また、ステーション側受信部はパネル側が送信停止していても、キャリアセンスを行うため待ち受け状態にしておかなければならないが、通常の受信状態に比べれば、データを復調する必要ないため消費電力は小さい。
【００４９】
また、上記無線システムでは６０ＧＨｚ帯と５ＧＨｚ帯を用いることを例に取ったが、この限りではない。即ち異なる周波数帯を用いる無線通信システムならば良く、例えば６０ＧＨｚ帯と２．４ＧＨｚ帯を用いる構成であった場合においても、ステーション側の受信周波数とパネル側の送信周波数を２．４ＧＨｚ帯に対応させれば、上記実施例１と同様な効果を得ることが可能となる。
【００５０】
また、上り周波数の決定方法として、パネル側送信周波数情報をステーション側で検知、送信する例をとったが、これに限らない。即ち、下り周波数の決定方法として、パネル側でキャリアセンスを行い、この結果をもとにステーション側の送信周波数情報をパネル側から送信し、ステーション側の送信周波数は受信したステーション側の送信周波数情報に設定される構成としても良い。
【００５１】
また、上記無線システムではパネル側の送信器は、誤りを検知して非同期でオン・オフする。このとき、電源ラインが揺すられてパネル受信ＲＦＶＣＯ４７の発振周波数が変化し、映像データの受信に影響する恐れがある。ここで、パネル側の送信器オン・オフのタイミングとして、図７〜図１０に示すサブフレームのＧＩの部分で行う構成とする。ＧＩは映像データとして用いることがないため、パネル側の送信器オン・オフの影響がＧＩ中であれば、映像データ受信への影響はなくなる。その他、ＧＩの部分で切替えなくても、変調データの復調に必要部分以外でパネル側の送信器オン・オフを行えば、映像データ受信への影響はなくなる。例えば、ＯＦＤＭ変調されていた場合は、ＦＦＴによる復調処理が必要となるが、不要なデータを取り込まないようにＦＦＴのタイミングを設定する。そこで、ＦＦＴを行う前までにパネル側の送信器オン・オフを行う制御とすれば、映像データへの影響はなくなる。また、一定間隔で、映像データを送信せずに、パネル側の送信器オン・オフを行うサブフレームを送信し、このサブフレームの期間でパネル側の送信器オン・オフを行う制御としても良い。
【００５２】
また、上記無線システムでは５ＧＨｚの上り通信動作にキャリアセンスを用いたが、一定間隔でパネル側からの送信動作を行う構成も可能である。この場合、誤りが起きたときだけ再送要求を行うのではなく、一定間隔で再送が必要かどうか応答を返す構成にすれば、再送データも一定の間隔で受信することが可能となる。
【００５３】
また、上記無線システムでは、パネル側は誤り訂正要求を送信する構成を例に示したがこれに限らない。即ち、誤り訂正要求を送信するのみではなく、パネル側の受信状態を示す受信品質情報を送信しても良い。この場合、ＳＴＡ側では前記受信品質情報に基づき、映像データの変調方式を変更することで、パネル側受信品質に最適な状態で映像データを送信することも可能となる。また、この他にもパネル側が送信する情報は、ＳＴＡ側の映像ソースを切り替える信号等、ＳＴＡ側を制御する信号も随時送れることは言うまでもない。また。ＳＴＡ側が送信する情報も制御情報と映像データと再送データのみに限定されるものではなく、パネル側の電源制御等、パネルを制御する情報を送信することも可能である。
【実施例２】
【００５４】
以下、本発明の第２の実施形態を図１３から図１５を用いて説明する。
【００５５】
本実施形態では、近距離無線送受信装置の構成の概略は実施形態１と同様であるが、５Ｇ ＩＦ  Ｔｘ ／ Ｒｘ部２および５Ｇ ＩＦ  Ｒｘ ／ Ｔｘ部１２の構成が異なり、以下に記述するように構成される。その他の構成は同様であり、送受信のシーケンスも同様のため、説明を省く。
【００５６】
５Ｇ ＩＦ  Ｔｘ ／ Ｒｘ部２はＳＴＡ送信ベースバンド信号処理部２０、ＳＴＡ送信直交ミキサ２１、ＳＴＡ送信ＩＦ増幅器２２、ＳＴＡ送信９０度移相器２５、ＳＴＡ受信ベースバンド信号処理部３０、ＳＴＡ受信直交ミキサ３１、ＳＴＡ受信ＬＮＡ３２から構成される。
【００５７】
図２と比べＳＴＡ受信ＶＣＯ２８、ＳＴＡ受信９０度移相器２９が無い。送信動作時は、STA  ＢＢＬＳＩ１からの送信ベースバンド信号入力をＳＴＡ送信ベースバンド信号処理部２０にて不要波をフィルタリング、および増幅する。その後、ＳＴＡ送信直交ミキサ２１に入力された信号は、ＳＴＡ送信９０度移相器２５が出力する送信ＩＦ直交ＬＯ信号とのミキシングにより、送信ベースバンド帯域から５ＧＨｚ帯の送信ＩＦ信号へとアップコンバートされる。送信ＩＦ直交ＬＯ信号は同相および直交位相を持つ２信号から成り、ＳＴＡ送信９０度移相器２５において、６０Ｇ Ｔｘ部３のＳＴＡ送信分周器２６から出力される送信ＩＦＬＯ信号を２分の１分周することにより生成される。送信ＩＦ信号は、ＳＴＡ送信ＩＦ増幅器２２によって増幅され、６０Ｇ Ｔｘ部３へ出力される。受信動作時は、５Ｇアンテナ５から入力される受信ＲＦ信号をＳＴＡ受信ＬＮＡ３２で増幅し、増幅された受信ＲＦ信号はＳＴＡ受信直交ミキサ３１にて、ＳＴＡ送信９０度移相器２５が出力する受信直交ＬＯ信号とミキシングされ、受信ベースバンド信号としてＳＴＡ受信ベースバンド信号処理部３０へ出力される。ＳＴＡ受信ベースバンド信号処理部３０では妨害波をフィルタリングし、所望波を増幅し、STA  ＢＢＬＳＩ１に出力する。受信直交ＬＯ信号は送信IF直交LO信号と同様に生成される。
５Ｇ ＩＦ  Ｒｘ ／ Ｔｘ部１２はパネル受信ベースバンド信号処理部４０、パネル受信直交ミキサ４１、パネル受信ＩＦＬＮＡ４２、パネル受信９０度移相器４５、パネル送信ベースバンド信号処理部５０、パネル送信直交ミキサ５１、パネル送信増幅器５２から構成される。
【００５８】
図２と比べパネル送信ＶＣＯ４８、パネル送信９０度移相器４９が無い。送信動作時は、パネル  ＢＢＬＳＩ１１からの送信ベースバンド信号入力をパネル送信ベースバンド信号処理部５０にて不要波をフィルタリング、および増幅する。その後、パネル送信直交ミキサ５１に入力された信号は、パネル受信９０度移相器４５が出力する送信直交ＬＯ信号とのミキシングにより、送信ベースバンド帯域から５ＧＨｚ帯の送信ＲＦ信号へとアップコンバートされる。送信直交ＬＯ信号は同相および直交位相を持つ２信号から成り、パネル受信９０度移相器４５において、６０Ｇ  Ｒｘ部１３のパネル受信分周器４６から出力される受信ＩＦＬＯ信号を２分の１分周することにより生成される。送信ＲＦ信号は、パネル送信増幅器５２によって増幅され、５Ｇアンテナ１５へ出力される。受信動作時は、６０Ｇ  Ｒｘ部１３から入力される受信ＩＦ信号をパネル受信ＩＦＬＮＡ４２で増幅し、増幅された受信ＩＦ信号はパネル受信直交ミキサ４１にて、パネル受信９０度移相器４５が出力する受信ＩＦ直交ＬＯ信号とミキシングされ、受信ベースバンド信号としてパネル受信ベースバンド信号処理部４０へ出力される。パネル受信ベースバンド信号処理部４０では妨害波をフィルタリングし、所望波を増幅し、パネル  ＢＢＬＳＩ１１に出力する。受信ＩＦ直交ＬＯ信号は送信直交ＬＯ信号と同様に生成される。
【００５９】
上記構成のステーション側における送信ベースバンド信号、送信ＩＦ信号、送信ＲＦ信号、送信ＩＦ直交ＬＯ信号、送信ＩＦＬＯ信号、送信ＲＦＬＯ信号、受信ベースバンド信号、受信ＲＦ信号、受信直交ＬＯ信号、受信ＬＯ信号、STA送信分周器の分周比の一例を図１４に示す。また、パネル側における受信ベースバンド信号、受信ＩＦ信号、受信ＲＦ信号、受信ＩＦ直交ＬＯ信号、受信ＩＦＬＯ信号、受信ＲＦＬＯ信号、送信ベースバンド信号、送信ＲＦ信号、送信直交ＬＯ信号、送信ＬＯ信号、パネル受信分周器の分周比の一例を図１５に示す。６０GHｚ帯の周波数チャンネルについて、ｃｈ１は６５GHｚ、ｃｈ２は６８GHｚと規定されており、ステーション側のキャリアセンスの結果、５．５ＧＨｚにキャリアがなかったものとする。図１４、図１５のようにステーション側送信ＲＦＬＯ信号とパネル側受信ＲＦＬＯ信号がｃｈ１なら５９．５GHｚ、ｃｈ２なら６２．５GHｚと変更し、STA送信分周器の分周比およびパネル受信分周器の分周比を、ｃｈ１を使用する場合は５．４０９、ｃｈ２を使用する場合は５．６８２と切替える。これにより、下り通信周波数およびキャリアセンスによって決定される上り通信周波数を設定することができる。言い換えれば、キャリアセンスによって決定される上り通信周波数と下り通信周波数の関係により、STA送信分周器の分周比を可変することで、ステーション側の送信ＲＦＬＯ信号を分周してステーション側の送信ＩＦＬＯ信号と受信ＬＯ信号を、上り通信周波数の２倍に設定することが可能となる。また、パネル受信分周器の分周比を可変することで、ステーション側と同様に受信ＲＦＬＯ信号を分周してパネル側の受信ＩＦＬＯ信号と送信ＬＯ信号を、上り通信周波数の２倍に設定することが可能となる。このとき、以下の関係を満たす。
【００６０】
STA送信分周器の分周比＝（ステーション側の送信ＲＦ信号の周波数÷ステーション側の送信ＩＦ信号の周波数−１）÷２
パネル受信分周器の分周比＝（パネル側の受信ＲＦ信号の周波数÷パネル側の受信ＩＦ信号の周波数−１）÷２
ステーション側の送信ＲＦＬＯ信号の周波数＝ステーション側の送信ＲＦ信号の周波数―ステーション側の送信ＩＦ信号の周波数＝ステーション側の送信ＩＦ信号の周波数÷（２×STA送信分周器の分周比）
パネル側の受信ＲＦＬＯ信号の周波数＝パネル側の受信ＲＦ信号の周波数―パネル側の受信ＩＦ信号の周波数＝パネル側の受信ＩＦ信号の周波数÷（２×パネル受信分周器の分周比）
このようにすることにより所望の上り通信周波数と下り通信周波数に設定することが可能となる。
【００６１】
また、２×STA送信分周器の分周比は、ＳＴＡ送信９０度移相器２５内部にある１／２分周動作を合わせたトータルの分周比となる。また、２×パネル受信分周器の分周比は、パネル受信９０度移相器４５内部にある１／２分周動作を合わせたトータルの分周比となる。
【００６２】
以上の構成によれば、実施例１と比べ、ＳＴＡ受信ＶＣＯ２８、ＳＴＡ受信９０度移相器２９およびパネル送信ＶＣＯ４８、パネル送信９０度移相器４９を省くことが可能であり、低コスト、低消費電力化が可能となる。
【００６３】
本構成では、ステーション側の送信ＩＦ信号と受信ＲＦ信号、およびパネル側の受信ＩＦ信号と送信ＲＦ信号の周波数が同じになる。もし、キャリアセンスによりステーション側の受信ＲＦ信号の周波数に別システムのキャリアを検知したとする。この場合、前記ステーション側の受信ＲＦ信号の周波数は使用することが出来ないため、周波数の変更が必要となる。映像データ受信中に周波数を切替える場合、ＩＦ信号の周波数が切り替るために、ゲイン、シンボルタイミングがＩＦ信号の周波数依存性を持っているとすると、周波数切替中の映像データは正しく伝送されない。ここで、周波数変更のタイミングとして、図７〜図１０に示すサブフレームのＧＩの部分で行う構成とする。ＧＩは映像データとして用いることがないため、周波数変更の影響がＧＩ中であれば、映像データ受信への影響はなくなる。その他、ＧＩの部分で切替えなくても、変調データの復調に必要部分以外で周波数を切替えれば、映像データ受信への影響はなくなる。例えば、ＯＦＤＭ変調されていた場合は、ＦＦＴによる復調処理が必要となるが、不要なデータを取り込まないようにＦＦＴのタイミングを設定する。そこで、ＦＦＴを行う前までに周波数変換を行う制御とすれば、映像データへの影響はなくなる。また、一定間隔で、映像データを送信せずに、周波数変更を行うサブフレームを送信し、このサブフレームの期間で周波数変換を行う制御としても良い。
【実施例３】
【００６４】
以下、本発明の第３の実施形態を図１６から図２０を用いて説明する。
【００６５】
本実施形態の特徴はパネル送信周波数の決め方にある。パネル側の制御部９１は図１６に示すように、上り通信の周波数ｃｈ毎にサーチ順序、周波数に対応付けられたゲイン設定、シンボルタイミングを記憶可能なパネル受信ＩＦ周波数情報設定テーブルを持つ構成とする。その他のステーションおよびパネルの送受信器構成は実施形態２と同様であるが、送受信シーケンスが異なる。
【００６６】
本実施形態におけるＳＴＡ側の送受信動作を図１７のフローチャートを用いて説明する。初めに、所望の送信周波数ｃｈを送信可能とし、かつ図４（ｃ）に示されるサーチ順序１の周波数が受信できるように設定する（Ｓ５０）。即ち、実施形態２の構成では、ＳＴＡ送信ＲＦＶＣＯ２７の周波数およびSTA送信分周器の分周比を設定する。周波数設定完了後、プリアンブルを送信する（Ｓ５１）。その後、次のサーチ順序の有無を判定する（Ｓ５２）。次のサーチ順序がある場合は、次のサーチ順序が示す周波数が受信できるように設定する（Ｓ５３）。次のサーチ順序が無い場合は、パネル送信周波数情報と送信ＩＦ信号の周波数をサーチ順序１に記載されている周波数に設定する（Ｓ５４）。次に、６０ＧＨｚ帯で復調に必要な制御情報を送信する（Ｓ５５）。次にキャリアセンスで設定されたパネル送信周波数情報と映像データを制御情報に基づいた変調方式で変調し、パネル側に向け送信する（Ｓ５６）。その後、キャリアセンスによって設定されたパネル送信周波数情報と同一周波数に送信ＩＦ信号の周波数を設定する（Ｓ５７）。即ち、実施形態２の構成では、ＳＴＡ送信ＲＦＶＣＯ２７の周波数およびSTA送信分周器の分周比を設定する。また、送信IF信号の周波数は送信ＩＦＬＯ信号の周波数および受信直交ＬＯ信号の周波数と同一となるように構成されているため、送信ＩＦ信号の周波数と同一の受信ＲＦ信号の周波数が受信できるように設定される。もし、５ＧＨｚ帯でキャリアを受信した場合、受信データ内にパネルが送信した再送要求の有無を確認する（Ｓ５８）。もし、再送要求が無く、パネルのデータ以外の場合は、他の機器からの送信データなので、キャリアセンス動作を行う（Ｓ５９）。もし、他システムのキャリアがあったと判断された場合は、パネル送信周波数情報を次のサーチ順序の周波数に設定する（Ｓ６０）。もし、キャリアがないと判断された場合には、現在のパネル送信周波数情報を保持する。その後のシーケンスは実施形態２と同様である。
【００６７】
もし、再送要求を検出した場合は、再送要求内の情報に基づき、再送データを生成し（Ｓ３４）、再送データを送信する（Ｓ３５）。その後、誤り補正完了ＡＣＫを受信するか、データ保持時間が経過するまで、再送データの送信を継続する。誤り補正完了ＡＣＫを受信、あるいは、データ保持時間を経過した場合は、再び映像データ送信を継続する（Ｓ３６）。
【００６８】
次にパネル側の送受信動作を図１８のフローチャートを用いて説明する。初めに、図１６のパネル受信ＩＦ周波数情報設定テーブルに示されるｃｈ１の周波数を受信可能とし、ｃｈ１のテーブルのサーチ順序１に対応する周波数に受信ＩＦ信号の周波数を設定する（Ｓ７０）。プリアンブルを受信し、ゲイン設定や同期処理を行い、ゲイン設定と同期処理結果を、パネル受信ＩＦ周波数情報設定テーブル内の現在のサーチ順序に対応するゲイン設定とシンボルタイミングの項目に記憶する（Ｓ７１）。次に、次のサーチ順序の有無を判定する（Ｓ７２）。次のサーチ順序がある場合は、パネル受信ＩＦ周波数情報設定テーブル内の次のサーチ順序に対応する周波数に受信ＩＦ信号の周波数を設定する（Ｓ７３）。次のサーチ順序が無い場合は、次のサブフレームタイミングで、既に記憶してあるパネル受信ＩＦ周波数設定テーブルのサーチ順序１に対応したゲイン設定、シンボルタイミングで制御情報、パネル送信周波数情報と映像データをステーション側から受信し、映像データを復調する（Ｓ７４）。次のサブフレームタイミングで、前記パネル送信周波数情報に基づき受信ＩＦ信号の周波数を設定し、ゲイン設定とシンボルタイミングも記憶された値を使用する（Ｓ７５）。また、受信IF信号の周波数は受信ＩＦＬＯ信号の周波数および送信直交ＬＯ信号の周波数と同一となるように構成されているため、受信ＩＦ信号の周波数と同一の送信ＲＦ信号の周波数が送信できるように設定される。その後のシーケンスは実施形態２と同様である。
【００６９】
映像データ受信中に、映像データの誤り検出を行う（Ｓ２２）。映像データに誤りが検出された場合は、パネル送信器を起動する。このとき、パネル送信器の送信周波数は前記パネル送信周波数情報に基づき設定する（Ｓ２３）。パネル送信器の起動を終えたら、パネル側の送信信号の復調に必要な制御情報と再送要求を送信する（Ｓ２４）。誤り検出がされてからデータ保持時間の経過を判断し（Ｓ２５）、パネル送信器を停止する（Ｓ４１）。経過したと判断した場合は、ＳＴＡ側が送信した映像データを含むデータ中に再送データの有無の判断を行い（Ｓ２６）、再送データが無いと判断した場合は、再び再送要求を送信する。再送データを受信した場合、前記再送データに基づき誤ったデータの補正を行う（Ｓ２７）。前記データの補正完了後、誤り補正が完了した旨をＳＴＡ側に誤り補正完了ＡＣＫとして送信する（Ｓ２８）。その後、データ保持時間の経過を判断し（Ｓ２９）、経過したと判断した場合はパネル送信器を停止する。データ保持時間を経過していない場合は、ＳＴＡ側が送信した映像データを含むデータ中に再送データの有無の判断を行い（Ｓ４０）、再送データが無いと判断した場合は、パネル送信器を停止する。再送データがある場合は、ＳＴＡ側が誤り補正完了ＡＣＫを正常に受信できていない可能性があるため、再度誤り補正完了ＡＣＫを送信する。
【００７０】
次に、再送、補正処理を含んだ映像が伝送される流れを、図１９を用いて説明する。
【００７１】
パネル側では、図１６のパネル受信ＩＦ周波数設定テーブルに基づき、サーチ順序１に対応する受信ＩＦ信号の周波数に設定しておく（Ｓ８０）。ステーション側では、図４−２のパネル周波数テーブルに基づき、サーチ順序１に対応する送信ＩＦ信号の周波数に設定し（Ｓ８１）、プリアンブルを送信する（Ｓ８２）。次に、パネル側ではプリアンブルを受信し、ゲイン設定結果と同期結果をパネル受信ＩＦ周波数設定テーブル内のサーチ順序に対応した項目に記憶し、次のサーチ順序が示す受信ＩＦ信号の周波数に設定する（Ｓ８３）。ステーション側では、パネル周波数テーブルの次のサーチ順序が示す周波数に送信ＩＦ信号の周波数を設定し（Ｓ８４）、プリアンブルを送信する（Ｓ８５）。次に、パネル側ではプリアンブルの受信し、ゲイン設定結果と同期結果をパネル受信ＩＦ周波数設定テーブル内のサーチ順序に対応した項目に記憶し、次のサーチ順序が示す受信ＩＦ信号の周波数に設定する（Ｓ８６）。ステーション側では、パネル周波数テーブルの次のサーチ順序が示す周波数に送信ＩＦ信号の周波数を設定し（Ｓ８７）、プリアンブルを送信する（Ｓ８８）。次に、パネル側ではプリアンブルの受信し、ゲイン設定結果と同期結果をパネル受信ＩＦ周波数設定テーブル内のサーチ順序に対応した項目に記憶する（Ｓ８９）。このタイミングで、サーチ順序３までの周波数設定は完了しており、図４−２および図１６に示すパネル周波数テーブルおよびパネル受信ＩＦ周波数設定テーブルには、次のサーチ順序がなくなる。次に、ステーション側では、サーチ順序１に送信ＩＦ信号の周波数を設定する。また、送信IF信号の周波数は送信ＩＦＬＯ信号の周波数および受信直交ＬＯ信号の周波数と同一となるように構成されているため、送信ＩＦ信号の周波数と同一の受信ＲＦ信号の周波数が受信できるように設定される（Ｓ９０）。パネル側では、サーチ順序１に受信ＩＦ信号の周波数を設定する。また、受信IF信号の周波数は受信ＩＦＬＯ信号の周波数および送信直交ＬＯ信号の周波数と同一となるように構成されているため、受信ＩＦ信号の周波数と同一の送信ＲＦ信号の周波数が送信できるように設定される（Ｓ９１）。その後、ステーション側では、Ｔ０のタイミングで制御信号に続けて、パネル送信周波数情報、映像データを送信する（Ｓ９２）。パネル側では、サーチ順序１に記憶されているゲイン設定、シンボルタイミングで制御信号を受信し、パネル送信周波数情報と映像データを受信し復調する。次のサブフレームタイミングで、復調されたパネル送信周波数情報に示される周波数に、受信ＩＦ信号の周波数および、パネル受信ＩＦ周波数設定テーブル内の対応したゲイン、およびシンボルタイミングを設定する（Ｓ９３）。パネル側で周波数を設定している間、ステーション側でも同様に、パネル送信周波数情報に示される周波数に、送信ＩＦ信号の周波数を設定する（Ｓ９４）。その後のシーケンスは実施形態２と同様である。
【００７２】
ステーション側では、Ｔ１のタイミングで、次の映像データおよびパネル送信周波数情報の情報を送信する（Ｓ４）。パネル側では、サブフレーム喪失を検出すると（Ｓ５）、Ｔ１´のタイミングでパネル側送信部を起動し、図８に示すようなプリアンブル、ＧＩ、制御信号に続き、喪失したデータがどのデータかを示す誤り情報を付加した再送要求を、ステーション側に送信する（Ｓ６）。ステーション側では、プリアンブル、制御信号によってＯＦＤＭ信号を復調し、前記誤り情報を付加した情報に基づき、再送データを生成し（Ｓ７）、図９に示すサブフレームのように、映像データに再送データを付加してパネル側に送信する（Ｓ８）。パネル側では再送データによって映像データを補正し（Ｓ９）、誤り補正がＴ２´のタイミングで完了したら、図１０に示すような誤り補正完了ＡＣＫを含むサブフレームを送信する（Ｓ１０）。ステーション側で誤り補正完了ＡＣＫを受け取ったら、次のフレームタイミングであるＴ３のタイミングにおいて、映像データと空き周波数情報をパネル側に送信する（Ｓ１１）。パネル側では、受信データに再送データおよびデータロストが無いことを確認したら、パネル側の送信部を停止する（Ｓ１２）。
次に、図２０を用いて、通信開始からキャリアセンスを行い、ステーション側の送信ＩＦ信号の周波数およびパネル側の受信ＩＦ信号の周波数が切替わった場合に、ステーション側から送信されるフレーム構成の具体例を示す。この具体例では、図４（ｃ）に示されるサーチ順序１と２の周波数が、通信開始からＴＳ６´の期間、他のシステムによって使用されているとし、ＴＳ６´以降はサーチ順序３の周波数が他のシステムによって使用されるものとする。また、図２０では簡単化のため、図４（ｃ）に示すサーチ順序に対応した周波数について、サーチ順序１から順にそれぞれ、５．５０ＧＨｚは周波数１、５．５４ＧＨｚは周波数２、５．５８ＧＨｚは周波数３として示している。
【００７３】
まず、サーチ順序１から順番に送信ＩＦ信号の周波数は設定され、プリアンブルが送信される。このため、初めのＴＰ１のタイミングで送信ＩＦ信号の周波数が周波数１に設定され、プリアンブルが送信される。次にＴＰ２のタイミングで送信ＩＦ信号の周波数が周波数２に設定され、でプリアンブルが送信される。同様に、ＴＰ３のタイミングで送信ＩＦ信号の周波数が周波数３に設定され、プリアンブルが送信される。次のサーチ順序は無いため、ＴＳ１のタイミングで、パネル送信周波数情報としては周波数１の周波数が設定され、また周波数１の信号が送信できるように設定される。一方、ステーション側では周波数１の周波数が受信できるように設定される。また、ステーション側では周波数１のキャリアセンスについても、ＴＳ１のタイミングで開始する。このタイミングで周波数１は他のシステムに使用されているので、キャリアセンス動作でＴＳ２のタイミングで次のサーチ順序の周波数２をパネル送信周波数情報に設定して、パネルにサブフレームを送信する。次に、ＴＳ３のタイミングでステーション側の送信ＩＦ信号の周波数と、パネル側の受信ＩＦ信号の周波数を切替えて、サブフレームを送受信する。この際に、ゲイン、シンボルタイミングはＴＰ２のタイミングで送受信したプリアンブルによって記憶されているため、この記憶されたゲイン、シンボルタイミングで周波数２のサブフレームが受信可能となる。また、ステーション側では周波数２のキャリアセンスについても、ＴＳ３のタイミングで開始する。しかし、ＴＳ３のタイミングでも周波数１は他のシステムに使用されているので、キャリアセンス動作でＴＳ４のタイミングで次のサーチ順序の周波数３をパネル送信周波数情報に設定して、パネルにサブフレームを送信する。次に、ＴＳ５のタイミングでステーション側の送信ＩＦ信号の周波数と、パネル側の受信ＩＦ信号の周波数を切替えて、サブフレームを送受信する。この際に、ゲイン、シンボルタイミングはＴＰ３のタイミングで送受信したプリアンブルによって記憶されているため、この記憶されたゲイン、シンボルタイミングで周波数３のサブフレームが受信可能となる。また、ステーション側では周波数３のキャリアセンスについても、ＴＳ５のタイミングで開始する。ＴＳ５のタイミングでは空き周波数が周波数３で、現在設定されている送信ＩＦ信号と受信ＩＦ信号も周波数３なので、キャリアセンスで空き周波数が周波数３ということが判る。従って、次のＴＳ６のタイミングでも周波数３をパネル送信周波数情報に設定して、パネルにサブフレームを送信する。この際に、パネル送信周波数情報はＴＳ５から変化していないので、周波数３からの切替動作は行われない。次に、ＴＳ６´のタイミングで周波数３が他のシステムで利用され、空き周波数は周波数１と周波数２になったとする。この場合、ＴＳ６‘のタイミングでキャリアセンスにより、次のサーチ順序がないため、始めのパネル送信周波数情報となる周波数１を設定し、サブフレームを送受信する。次はＴＳ１からの動作の繰り返しを行えば、映像データを受信しながら、送信ＩＦ信号と受信ＩＦ信号の周波数を空き周波数となるように設定できる。
【００７４】
実施形態２の構成では、ＧＩの部分で送信ＩＦ信号と受信ＲＦ信号、およびパネル側の受信ＩＦ信号と送信ＲＦ信号の周波数を変更すれば、映像データ受信に関し周波数変更の影響は無くすことができると説明した。しかしながら、ＧＩが非常に短い場合、周波数変更がＧＩ中に終了しない恐れがある。本実施形態では、設定可能な送信ＩＦ信号と受信ＩＦ信号で予めパネル側にプリアンブルを送信し、各周波数設定におけるゲイン、シンボルタイミングを予め記憶しておく。実際にサブフレームを受信する際に記憶されたゲイン、シンボルタイミングの設定を行うことにより、ＧＩが非常に短い場合でも、瞬時にゲイン、シンボルタイミングの設定が可能となるため、映像データ受信に関し周波数変更の影響を無くすことが可能となる。
【００７５】
本実施形態では、説明の簡略化のために６０ＧＨｚ帯の周波数チャンネルはｃｈ１しか説明しなかった。しかしながら、他の周波数チャンネルについても同様に、設定可能な送信ＩＦ信号と受信ＩＦ信号で予めパネル側にプリアンブルを送信し、各周波数設定におけるゲイン、シンボルタイミングを予め記憶し、サブフレーム受信時に記憶したゲイン、シンボルタイミングを設定することにより対応可能である。
【００７６】
また、本実施形態では、サーチ順序に対応して記憶する情報として、ゲイン設定とシンボルタイミングを示したがこれに限らない。即ち、プリアンブルによって受信に必要なパラメータを決定する構成であり、ゲイン設定とシンボルタイミング以外のパラメータを記憶し、データ受信時に記憶された情報に基づきパラメータを設定し、データ受信を行えばよい。
【００７７】
また、本実施形態では、サーチ順序に記載された順番でプリアンブルのみを始めに送信した例を示したが、これに限らない。例えば制御情報をプリアンブルに続けて送信する構成とし、制御情報をサーチ順序に対応付けて記憶する構成とすれば、データ受信時に記憶した制御情報に基づき復調を行うことが可能となる。
【００７８】
また、本実施形態では、パネル側のみゲイン設定とシンボルタイミングを記憶する構成を説明したが、これに限らない。パネル側から予めプリアンブルを送信し、ステーション側でプリアンブルを受信し、ゲイン設定とシンボルタイミングを記憶する構成とすれば、パネル側で周波数を切替えても、予め記憶していたゲイン設定とシンボルタイミングを設定することにより、パネル側が送信するデータの受信に関し、周波数の影響をなくすことが可能となる。
【実施例４】
【００７９】
以下、本発明の第４の実施形態を図２１から図２３を用いて説明する。
【００８０】
図２１（ａ）において、図１と同様に、ステーション（ＳＴＡ）側無線システムはＳＴＡ  ＢＢＬＳＩ１と５Ｇ ＩＦ  Ｔｘ ／ Ｒｘ部２と６０Ｇ Ｔｘ部３と６０Ｇアンテナ４と５Ｇアンテナ５から構成される。また、パネル側無線システムはパネル  ＢＢＬＳＩ１１と５Ｇ ＩＦ  Ｒｘ ／ Ｔｘ部１２と６０Ｇ Ｒｘ部１３と６０Ｇアンテナ１４と５Ｇアンテナ１５で構成される。加えて、ステーション側無線システムは、ＳＴＡアンテナスイッチ１０１および第２の５Ｇアンテナ１０２で構成され、ＳＴＡアンテナスイッチ１０１は５Ｇ ＩＦ  Ｔｘ ／ Ｒｘ部２の接続を６０Ｇ Ｔｘ部３か第２の５Ｇアンテナ１０２に切替える。パネル側無線システムはパネルアンテナスイッチ１０３および第２の５Ｇアンテナ１０４から構成され、パネルアンテナスイッチ１０３は５Ｇ ＩＦ  Ｒｘ ／ Ｔｘ部１２の接続を６０Ｇ Ｒｘ部１３か第２の５Ｇアンテナ１０４に切替える。
【００８１】
また、５Ｇ ＩＦ  Ｔｘ ／ Ｒｘ部２および５Ｇ ＩＦ  Ｒｘ ／ Ｔｘ部１２の構成は実施形態２と同様に構成され、ステーション側の送信ＩＦ信号と受信ＲＦ信号、およびパネル側の受信ＩＦ信号と送信ＲＦ信号の周波数が同じになる。
【００８２】
ＳＴＡアンテナスイッチ１０１により、５Ｇ ＩＦ  Ｔｘ ／ Ｒｘ部２と６０Ｇ Ｔｘ部３が接続され、パネル側無線システムではパネルアンテナスイッチ１０３により、５Ｇ ＩＦ  Ｒｘ ／ Ｔｘ部１２と６０Ｇ Ｒｘ部１３が接続される場合は、実施形態２と同様な動作により、映像や誤り情報等を含んだサブフレームがステーションとパネル間で無線伝送される。
【００８３】
ＳＴＡアンテナスイッチ１０１が第２の５Ｇアンテナ１０２に接続され、パネルアンテナスイッチ１０３が第２の５Ｇアンテナ１０４に接続される場合、ステーション側の送信ＩＦ信号と受信ＲＦ信号、およびパネル側の受信ＩＦ信号と送信ＲＦ信号の周波数が同じなため、上り通信周波数と下り通信周波数が同じとなる。この場合、同じ周波数帯で送受信は同時に行うことが出来ないため、送信動作はＣＳＭＡ／ＣＡによって、キャリアセンスによって自他システムのキャリアが無いときに送信を行う。また、上り通信周波数と下り通信周波数は、予め設定した同一周波数を用いる。
【００８４】
本実施形態において、ＳＴＡアンテナスイッチ１０１が第２の５Ｇアンテナ１０２に接続され、パネルアンテナスイッチ１０３が第２の５Ｇアンテナ１０４に接続される場合のステーション側の送受信動作を図２２のフローチャートを用いて説明する。まず、受信部を起動する（Ｓ１００）。次に、設定されている周波数帯にキャリアが無いかキャリアセンスを行う（Ｓ１０１）。キャリアがないと判断した場合、受信部を停止し、送信部を起動する（Ｓ１０２）。次に、プリアンブル、制御情報、映像データを送信する（Ｓ１０３）。映像データの送信を終了次第、送信部を停止する（Ｓ１０４）。キャリアセンス時にキャリアありと判断した場合は、プリアンブル、制御情報、映像データを受信する（Ｓ１０５）。パネル側でも同様に送受信動作可能である。本動作モードでは、パネル送信周波数情報の送受信は行わなくても、ステーション側とパネル側の周波数設定を予め同じ設定に構成すれば、映像データや制御情報の送受信が可能となる。
【００８５】
以上説明したように、本実施形態によれば、５ＧＨｚ帯の下り通信が可能となる。また、送信はキャリアセンス後に行うために、ＣＳＭＡ／ＣＡにより送信動作を行うことができ、送信キャリアの衝突により、データが受信できなくなる影響を回避することができる。この動作モードは無線ＬＡＮなどで使用されている方式と同様である。従って、アンテナスイッチの切替により、下り通信に６０ＧＨｚ帯を用いた、高画質、高信頼の映像伝送のモードと、５ＧＨｚ帯を用いた無線ＬＡＮと同等のモードを切替えることが可能となる。即ち、アンテナスイッチおよびアンテナの追加と制御方法の変更のみで、６０ＧＨｚと５ＧＨｚを用いた通信モードと５ＧＨｚのみを用いた通信モードを持つことが可能となる。さらに、この２種類の通信モード間でステーション側無線システムのＳＴＡ  ＢＢＬＳＩ１と５Ｇ ＩＦ  Ｔｘ ／ Ｒｘ部２、およびパネル側無線システムのパネル  ＢＢＬＳＩ１１と５Ｇ ＩＦ  Ｒｘ ／ Ｔｘ部１２を共用することが可能となり、２種類別々の送受信器を持つ構成と比べ、低実装面積、低コスト化が可能となる。
【００８６】
以上の実施形態では、キャリアセンスにより送信するかどうかを決めるＣＳＭＡ／ＣＡを例に取り、送受信動作を示したがこれに限らない。即ち、ステーション側から一定タイミングで送信を制御するようなポーリングによるアクセス制御の構成においても、６０ＧＨｚと５ＧＨｚを用いた通信モードと５ＧＨｚのみを用いた通信モードを持つことが可能となり、２種類別々の送受信器を持つ構成と比べ、低実装面積、低コスト化が可能となる。
【００８７】
また、図２１（ｂ）において、図１と同様に、ステーション（ＳＴＡ）側無線システムはＳＴＡ  ＢＢＬＳＩ１と５Ｇ ＩＦ  Ｔｘ ／ Ｒｘ部２と６０Ｇ Ｔｘ部３と６０Ｇアンテナ４と５Ｇアンテナ５から構成される。また、パネル側無線システムはパネル  ＢＢＬＳＩ１１と５Ｇ ＩＦ  Ｒｘ ／ Ｔｘ部１２と６０Ｇ Ｒｘ部１３と６０Ｇアンテナ１４と５Ｇアンテナ１５で構成される。加えて、ステーション側無線システムは、ＳＴＡアンテナスイッチ１０１および第２のＳＴＡアンテナスイッチ１４０で構成される。ＳＴＡアンテナスイッチ１０１は５Ｇ ＩＦ  Ｔｘ ／ Ｒｘ部２の接続を６０Ｇ Ｔｘ部３か第２のＳＴＡアンテナスイッチ１４０に切替える。第２のＳＴＡアンテナスイッチ１４０は５Ｇ ＩＦ  Ｔｘ ／ Ｒｘ部２かＳＴＡアンテナスイッチ１０１を５Ｇアンテナ５に接続する。
【００８８】
加えて、パネル側無線システムはパネルアンテナスイッチ１０３および第２のパネルアンテナスイッチ１４１から構成される。パネルアンテナスイッチ１０３は５Ｇ ＩＦ  Ｒｘ ／ Ｔｘ部１２の接続を６０Ｇ Ｒｘ部１３か第２のパネルアンテナスイッチ１４１に切替える。第２のパネルアンテナスイッチ１４１は５Ｇ ＩＦ  Ｒｘ ／ Ｔｘ部１２かパネルアンテナスイッチ１０３を５Ｇアンテナ１５に接続する。
【００８９】
また、５Ｇ ＩＦ  Ｔｘ ／ Ｒｘ部２および５Ｇ ＩＦ  Ｒｘ ／ Ｔｘ部１２の構成は実施形態２と同様に構成され、ステーション側の送信ＩＦ信号と受信ＲＦ信号、およびパネル側の受信ＩＦ信号と送信ＲＦ信号の周波数が同じになる。
【００９０】
ステーション側無線システムではＳＴＡアンテナスイッチ１０１により、５Ｇ ＩＦ  Ｔｘ ／ Ｒｘ部２と６０Ｇ Ｔｘ部３が接続され、第２のＳＴＡアンテナスイッチ１４０により、５Ｇ ＩＦ  Ｔｘ ／ Ｒｘ部２と５Ｇアンテナ５が接続され、パネル側無線システムではパネルアンテナスイッチ１０３により、５Ｇ ＩＦ  Ｒｘ ／ Ｔｘ部１２と６０Ｇ Ｒｘ部１３が接続され、第２のパネルアンテナスイッチ１４１により、５Ｇ ＩＦ  Ｒｘ ／ Ｔｘ部１２と５Ｇアンテナ１５が接続される場合は、実施形態２と同様な動作により、映像や誤り情報等を含んだサブフレームがステーションとパネル間で無線伝送される。
【００９１】
５Ｇ ＩＦ  Ｔｘ ／ Ｒｘ部２の出力がＳＴＡアンテナスイッチ１０１と第２のＳＴＡアンテナスイッチ１４０を介して、５Ｇアンテナ５から送信可能となり、５Ｇ ＩＦ  Ｒｘ ／ Ｔｘ部１２の入力がパネルアンテナスイッチ１０３と第２のパネルアンテナスイッチ１４１を介して、５Ｇアンテナ１５から受信可能なように接続される場合、ステーション側の送信ＩＦ信号と受信ＲＦ信号、およびパネル側の受信ＩＦ信号と送信ＲＦ信号の周波数が同じなため、上り通信周波数と下り通信周波数が同じとなる。この場合、同じ周波数帯で送受信は同時に行うことが出来ないため、送信動作はＣＳＭＡ／ＣＡによって、キャリアセンスによって自他システムのキャリアが無いときに送信を行う。また、上り通信周波数と下り通信周波数は、予め設定した同一周波数を用いる。
【００９２】
図２１（ｂ）の構成では、実施形態１から３の構成と比べアンテナスイッチ４個の追加と制御方法の変更のみで、６０ＧＨｚと５ＧＨｚを用いた通信モードと５ＧＨｚのみを用いた通信モードを持つことが可能となる。また、この２種類の通信モード間でステーション側無線システムのＳＴＡ  ＢＢＬＳＩ１と５Ｇ ＩＦ  Ｔｘ ／ Ｒｘ部２、およびパネル側無線システムのパネル  ＢＢＬＳＩ１１と５Ｇ ＩＦ  Ｒｘ ／ Ｔｘ部１２と５Ｇアンテナ５と５Ｇアンテナ１５を共用することが可能となり、２種類別々の送受信器を持つ構成と比べ、低実装面積、低コスト化が可能となる。
【００９３】
また、ＭＩＭＯ（Ｍｕｌｔｉ  Ｉｎｐｕｔ  Ｍｕｌｔｉ  Ｏｕｔｐｕｔ）通信を行いたい場合は、５Ｇ ＩＦ  Ｔｘ ／ Ｒｘ部２および５Ｇ ＩＦ  Ｒｘ ／ Ｔｘ部１２およびこれらのＩＦ／ＲＦ入出力部に接続されるアンテナを増やせば良い。ＭＩＭＯ構成の具体例を図２３に示す。図２１と同様な構成に加えて、ステーション側無線システムは、第２の５Ｇ ＩＦ  Ｔｘ ／ Ｒｘ部１０５、第３の５Ｇアンテナ１０６、第４の５Ｇアンテナ１０７で構成され、パネル側無線システムは、第２の５Ｇ ＩＦ  Ｒｘ ／ Ｔｘ部１０８、第３の５Ｇアンテナ１０９、第４の５Ｇアンテナ１１０で構成され、複数信号の入出力が可能となる。
【００９４】
この場合は６０ＧＨｚと５ＧＨｚを用いた通信モードと５ＧＨｚのみを用いたＭＩＭＯ通信モードを持つことが可能となる。この２種類の通信モード間でステーション側無線システムのＳＴＡ  ＢＢＬＳＩ１と５Ｇ ＩＦ  Ｔｘ ／ Ｒｘ部２の内の１系統、およびパネル側無線システムのパネル  ＢＢＬＳＩ１１と５Ｇ ＩＦ  Ｒｘ ／ Ｔｘ部１２の内の１系統を共用することが可能となり、２種類別々の送受信器を持つ構成と比べ、低実装面積、低コスト化が可能となる。
【実施例５】
【００９５】
以下、本発明の第５の実施形態を図２４から図２８を用いて説明する。
【００９６】
本実施形態の構成は、実施形態１、２、４のいずれの構成でもよい。本実施形態はステーション側とパネル側の送信電力制御（ＴＰＣ：Ｔｒａｎｓｍｉｔ  Ｐｏｗｅｒ  Ｃｏｎｔｒｏｌ）に関し、ステーション側とパネル側の映像データや再送要求を送受信する前に行う。即ち、プリアンブルと制御情報を送受信するシーケンスに関し、送受信動作が異なる。具体的には、ステーション側は送信時に図２４に示すフレームを送信する。このフレーム構成は、図７のフレームにパネルの送信電力を制御するパネル  ＴＰＣ情報が追加され、映像データは送信電力制御の終了次第、送信される構成とする。一方、パネル側もパネル  ＴＰＣ情報を受信次第、図２５に示すフレームを送信する。このフレーム構成では、図８のフレームにステーション側の送信電力を制御するＳＴＡ  ＴＰＣ情報が追加される。そして、再送要求が必要な際に、送信電力制御と受信ゲイン制御の最適化を再度実行しなくて済むように、ステーション側送信電力制御を行い、その結果を保存し、再送時にパネル側送信電力値とステーション側ゲイン設定値を読み出すようにする。また、ＳＴＡ  ＴＰＣ情報とパネル  ＴＰＣ情報にはそれぞれ送信電力の増減を示す値あるいは、送信電力が予め決めた閾値以内に入ったかどうか示すＴＰＣ閾値以内情報が格納される構成とする。
【００９７】
ステーション側の送信電力制御について、図２６のフローチャートを用いて説明する。まず、ステーション側の送信電力を最大電力に設定し、プリアンブル・制御情報を送信する（Ｓ１１０）。その後、キャリアセンスを行い（Ｓ１１１）、キャリアがない場合は送信電力を一定値下げる（Ｓ１１２）。例えば、送信電力制御ステップが２ｄＢの場合は、２ｄＢ下げる等の設定で良い。キャリアがあると判断された場合は、ＡＧＣ（Ａｕｔｏｍａｔｉｃ  Ｇａｉｎ  Ｃｏｎｔｒｏｌ）を行ってゲインを設定する（Ｓ１１３）。次に、受信したサブフレーム内にステーション側の送信電力制御の情報が示されたＳＴＡ  ＴＰＣ情報の有無を判断する（Ｓ１１４）。ＳＴＡ  ＴＰＣ情報があり、受信できた場合は、受信したＳＴＡ  ＴＰＣ情報にＴＰＣ閾値以内情報の有無を判断する（Ｓ１１５）。ＴＰＣ閾値以内情報がない場合、受信したＳＴＡ  ＴＰＣ情報に基づき、ステーション側の送信電力を制御する（Ｓ１１６）。その後、パネル側の送信電力をどの程度上げる、あるいは下げるか計算し、パネル  ＴＰＣ情報を設定する（Ｓ１１７）。次に、設定されたパネル  ＴＰＣ情報をパネルに送信する（Ｓ１１８）。
【００９８】
一方、ＳＴＡ  ＴＰＣ情報がない、あるいはＳＴＡ  ＴＰＣ情報が復調できなかった場合は、Ｓ１１７のフローに進み、パネル  ＴＰＣ情報の設定、送信を行う。
【００９９】
Ｓ１１５のフローで、受信したＳＴＡ  ＴＰＣ情報にＴＰＣ閾値以内情報があった場合は、現在パネルに送信しているパネル  ＴＰＣ情報内にＴＰＣ閾値以内情報の有無を判断する（Ｓ１１９）。パネル  ＴＰＣ情報内にＴＰＣ閾値以内情報がある場合は、ステーションとパネル共に送信電力が最適になったと判断できるため、映像データ送信や再送データ受信のシーケンスに移る。即ち、実施形態１、２では図４のＳ３１のシーケンスに移り、実施形態４では図１７のＳ５２のシーケンスに移る。
【０１００】
次にパネル側の送信電力制御について、図２７のフローチャートを用いて説明する。まず、送信電力は最低に設定し、受信器を起動し、キャリアセンスを行う（Ｓ１２０）。キャリアが無い場合は、キャリアが受信されるまでキャリアセンスを継続する。キャリアがあると判断された場合は、ＡＧＣ（Ａｕｔｏｍａｔｉｃ  Ｇａｉｎ  Ｃｏｎｔｒｏｌ）を行ってゲインを設定する（Ｓ１２１）。次に、受信したサブフレーム内にパネル側の送信電力制御の情報が示されたパネル  ＴＰＣ情報の有無を判断する（Ｓ１２２）。パネル  ＴＰＣ情報があり、受信できた場合は、受信したパネル  ＴＰＣ情報にＴＰＣ閾値以内情報の有無を判断する（Ｓ１２３）。ＴＰＣ閾値以内情報がない場合、受信したパネル  ＴＰＣ情報に基づき、パネル側の送信電力を制御する（Ｓ１２４）。その後、ステーション側の送信電力をどの程度上げる、あるいは下げるか計算し、ＳＴＡ  ＴＰＣ情報を設定する（Ｓ１２５）。その後、設定されたＳＴＡ  ＴＰＣ情報をステーションに送信する（Ｓ１２６）。
【０１０１】
一方、パネル  ＴＰＣ情報がない、あるいはパネル  ＴＰＣ情報が復調できなかった場合は、パネル  ＴＰＣ情報が復調できるまで受信を繰り返す。
【０１０２】
Ｓ１２３のフローで、受信したパネル  ＴＰＣ情報にＴＰＣ閾値以内情報があった場合は、現在ステーションに送信しているＳＴＡ  ＴＰＣ情報内にＴＰＣ閾値以内情報の有無を判断する（Ｓ１２７）。ＳＴＡ  ＴＰＣ情報内にＴＰＣ閾値以内情報がある場合は、現在の送信電力値を記憶する（Ｓ１２８）。記憶された送信電力値は、再送要求が必要な場合に、最適な送信電力として設定される。その後、ステーションとパネル共に送信電力が最適になったと判断できるため、映像データ送信や再送データ受信のシーケンスに移る。即ち、実施形態１、２では図５のＳ２１のシーケンスに移り、実施形態４では図１８のＳ７２のシーケンスに移る。
【０１０３】
次に、ＴＰＣ情報の設定動作について、図２８を用いて説明する。初めに、ＡＧＣされたゲイン設定が最大ゲイン、かつＳＮＲが計算不可能か判断を行う（Ｓ１３０）。ＡＧＣされたゲイン設定が最大ゲイン、かつＳＮＲが計算不可能の場合は、送信電力が低すぎる可能性があるため、送信電力を上げるように、ＴＰＣ情報としては＋一定値の情報を設定する。このＴＰＣ情報を受信した場合、送信電力は一定値上げるように制御される（Ｓ１３１）。一方、ＡＧＣされたゲイン設定が最大ゲイン、かつＳＮＲが計算不可能と判断されなかった場合、ＡＧＣされたゲイン設定が最小ゲイン、かつＳＮＲが計算不可能か判断を行う（Ｓ１３２）。ＡＧＣされたゲイン設定が最小ゲイン、かつＳＮＲが計算不可能の場合は、送信電力が高すぎる可能性があるため、送信電力を下げるように、ＴＰＣ情報としては−一定値の情報を設定する。このＴＰＣ情報を受信した場合、送信電力は一定値下げるように制御される（Ｓ１３３）。一方、ＡＧＣされたゲイン設定が最小ゲイン、かつＳＮＲが計算不可能と判断されなかった場合、ＳＮＲは計算可能となるので、ＴＰＣ情報を所要ＳＮＲ−現在のＳＮＲに設定する。所要ＳＮＲは受信しようとする伝送速度に対して復調可能なＳＮＲにマージンを持たせた値とする（Ｓ１３４）。その後、ＴＰＣ情報の絶対値が予め設定した閾値以内であるか判断する（Ｓ１３５）。閾値以内と判断された場合は、ＴＰＣ情報にＴＰＣ閾値以内情報を格納する。
【０１０４】
以上に示した構成とすれば、ステーション側の送信電力とパネル側の送信電力が最適になるように調整することが可能となる。一般に、送信電力が高いほど、消費電力が高くなり、歪み特性も劣化するため、不要輻射が大きくなり、自他システム共にデータ受信に影響を及ぼす。また、受信側では、送信側が近すぎると飽和する可能性があるため、飽和しないように回路に特殊な構成を用いるか、非常に強入力の信号に対しＡＧＣが行えるように構成する必要がある。本実施形態では、ステーション側とパネル側の両方の送信電力を、必要なＳＮＲを満たす最小限に設定することが可能であるため、消費電力が抑えられる。また、歪み特性も劣化しない領域で使用可能となるため、不要輻射が少なく、自他システムともに良好な受信が可能となる。加えて、ステーションとパネルの送受信装置が近すぎても、送信電力が下がるために、飽和しないように回路に特殊な構成を用いる必要が無く、非常に強入力の信号が入ってこないため、ＡＧＣでゲインを設定できる範囲も小さくすることが可能となる。
【０１０５】
以上の構成において、適応変調方式を用い、所要ＳＮＲが変調方式毎に異なる場合は、所要ＳＮＲを変調方式に合わせて設定を行う構成とすれば、変調方式毎に最適な送信電力設定が可能となる。また、閾値も変調方式毎に変える構成とすれば、送信電力設定の精度を可変できるようにすることも可能である。
【実施例６】
【０１０６】
以下、本発明の第６の実施形態を図２９を用いて説明する。
【０１０７】
本実施形態の構成は、実施形態１、２、３、４、５のいずれの構成、送受信動作でもよい。図２９において、パネル側無線システムで受信した映像データを表示するディスプレイシステムは、ディスプレイパネル筐体１２０、表示部１２１、通信状態表示部１２２で構成される。通信状態表示部１２２はディスプレイパネル筐体１２０の表示部１２１が実装された面と同一面上に実装される。映像データは、ステーション側から無線伝送されたデータをパネル側無線システムで受信、復調後、表示部１２１で表示される。この際、受信時の受信電力に基づき、通信状態表示部１２２の表示を変更する。例えば、受信電力が高い場合は緑色を表示し、受信電力が低い場合は赤色を表示する。以上の構成により、ステーション側とパネル側の通信の通信状態を、表示部１２１の映像と被らずに一目で判断することが可能となる。例えば、テレビ放送をステーション側からパネル側に無線伝送して、突然テレビが映らなくなった際に、テレビ放送の受信状態が悪くなったのか、ステーションとパネル間の無線伝送が悪くなったのか、あるいは装置が故障したのか判断がつかない。上記構成によれば、ステーションとパネル間の受信状態が判断可能であり、また、テレビ放送の受信状態が悪い場合は、その旨を映像伝送すればユーザに報知できる。また、ステーションとパネル間の通信状態が良く、電波表示部１２２が緑色の表示であったとする。この場合において、表示部１２１になにも表示されない場合は、故障している可能性があると判断することが可能となる。
【０１０８】
以上の実施構成では通信状態表示部１２２は、イルミネーションにより通信状態を示したがこの限りではない。例えば、小型のディスプレイで構成し、電波強度を数字、あるいは記号で表現してもよい。即ち、通信状態表示部１２２はディスプレイパネル筐体１２０の表示部１２１が実装された面と同一面上に実装され、ユーザに通信状態がわかるように表示される構成ならば良い。
【０１０９】
また、図２９には、パネル側無線システムは記載されていないが、ディスプレイパネル筐体１２０に内蔵されているものとする。
【０１１０】
また、上記実施形態では、通信状態を受信電力の強さで変化させたが、これに限らない。例えば、受信のＳＮＲを計算し、計算したＳＮＲに基づいて通信状態表示部１２２の表示を変化させても良い。
【実施例７】
【０１１１】
実施形態６の構成において、ディスプレイパネル筐体１２０に通信状態表示部１２２を実装せずに、リモコンに通信状態を表示する構成の具体例を、図３０を用いて説明する。
【０１１２】
ステーションとパネルを操作でき、制御コマンドを無線送受信可能なＲＦリモコンは、ＲＦリモコン筐体１３０、リモコン表示部１３１、パネル通信状態表示部１３２、リモコン通信状態表示部１３３で構成され、パネル通信状態表示部１３２はステーションとパネル間の通信状態を表示し、リモコン通信状態表示部１３３はパネルとリモコン間の通信状態またはステーションとリモコン間の通信状態を表示する構成とする。パネルとリモコン間の通信状態またはステーションとリモコン間の通信状態は、ＲＦリモコン筐体１３０に内蔵された無線受信システムにより、電波強度を計算し、その強度に基づきリモコン通信状態表示部１３３へ表示される構成とする。ステーションとパネル間の通信状態は、ＲＦリモコン筐体１３０に内蔵された無線受信システムを用いて、パネルが計算している受信電波強度を無線伝送し、ＲＦリモコンで受信した前記パネルが計算している受信電波強度に基づき、パネル通信状態表示部１３２へ表示される構成とする。また、通信状態の表示例として、アンテナ記号を用い、通信状態が良いほどアンテナ本数を増やす構成とする。
【０１１３】
以上の構成によれば、映像と被らずにＲＦリモコンの通信状態とパネルとステーション間の通信状態を一目で知ることが可能となる。例えば、テレビ放送をステーション側からパネル側に無線伝送して、突然テレビが映らなくなった際に、テレビ放送の受信状態が悪くなったのか、ステーションとパネル間の無線伝送が悪くなったのか、あるいはＲＦリモコンから誤制御信号を送信し、パネルあるいはステーション側の設定が変わったのか、あるいは装置が故障したのか判断がつかない。上記構成によれば、ＲＦリモコンとパネルあるいはステーション間の受信状態、およびステーションとパネル間の受信状態が判断可能であり、また、テレビ放送の受信状態が悪い場合は、その旨を映像伝送すればユーザに報知できる。また、ＲＦリモコンとステーションあるいはパネル間の通信状態が良く、リモコン通信状態表示部１３３がアンテナ３本の表示であり、ステーションとパネル間の通信状態も良く、パネル通信状態表示部１３２もアンテナ３本の表示であったとする。この場合において、映像が何も表示されない場合は、故障している可能性があると判断することが可能となる。
【０１１４】
また、上記実施形態ではＲＦリモコンを具体例にとったが、これに限らない。即ち、パネルとステーションを有線以外で制御でき、その通信状態をコントローラの表示部に表示する構成であり、ステーションとパネル間の通信状態を受信し、コントローラの表示部に表示可能な構成であれば良い。
【０１１５】
また、上記実施形態では、通信状態を受信電力の強さで変化させたが、これに限らない。例えば、受信のＳＮＲを計算し、計算したＳＮＲに基づいて通信状態表示部１２２の表示を変化させても良い。
【０１１６】
以上の実施構成ではパネル通信状態表示部１３２とリモコン通信状態表示部１３３は、アンテナ記号により通信状態を示したがこの限りではない。例えばＬＥＤで構成し、電波強度をイルミネーションで表現してもよい。即ち、パネル通信状態表示部１３２とリモコン通信状態表示部１３３は、パネルあるいはステーション側をリモート制御するコントローラ上に実装され、ユーザに通信状態がわかるように表示される構成ならば良い。
【０１１７】
また、実施形態１から５において、下り通信周波数の送受信器では２段階の周波数変換によって、ＲＦ周波数からＩＦ周波数に変換し、その後ベースバンド周波数へと変換するヘテロダイン方式であるが、上り通信周波数に対してヘテロダイン方式を用いても良い。この場合、上りの通信周波数に干渉が少ない６０ＧＨｚ帯を用いることができる。また、下りの通信周波数は他のシステムからの妨害の干渉の影響が懸念される。従って、下り通信周波数はパネル側でキャリアセンスして、ステーション側にキャリアセンスで検知した空き周波数を送信し、その空き周波数に下り通信周波数を決定すればよい。また、ＩＦ周波数を非常に低くし、ＬＯＷ  ＩＦ周波数で後段のＢＢＬＳＩとインターフェースする構成でも良い。この場合、後段のＢＢＬＳＩでＬＯＷ  ＩＦ周波数をベースバンド周波数に変換すれば良い。
【産業上の利用可能性】
【０１１８】
本発明ではステーションとパネルの映像伝送を例としたがこれに限らない。即ち、通常のデータ通信や音声通信などの無線通信に利用可能である。
【０１１９】
実施例１を利用するに当たっては、上り通信の利用周波数をステーション側で決定し、通知する構成ならば良い。
【０１２０】
実施例２を利用するに当たっては、実施形態１の構成において、送信ＩＦ信号と受信ＩＦ信号を同一周波数とし、送受信で別々に設けていたＶＣＯを共用化する構成ならば良い。
【０１２１】
実施例３を利用するに当たっては、実施形態２の構成において、送信ＩＦ信号と受信ＩＦ信号の切替を瞬時に行うために、切替後に必要なゲイン設定、シンボルタイミング、その他の復調に必要なパラメータを予め記憶、切替時に再設定する構成であれば良い。
【０１２２】
実施例４を利用するに当たっては、実施形態２の構成において、アンテナとアンテナスイッチを追加し、ＩＦ信号段を送信、あるいはＩＦ信号段から受信できるように切替えられる構成であれば良い。
【０１２３】
実施例５を利用するに当たっては、実施形態１、２、４の構成において、情報ソースを持っているノードＡが初めに最大電力で送信を行い、情報ソースを受け取るノードＢがノードＡの送信を受信復調後、送信電力制御を送信する。ノードＡではノードＢから送信があったことを検知するまで、徐々に送信電力を下げ、送信があったことを検知した場合は、その受信状態に応じて送信電力制御をノードＢに送信する。ノードＢでは、ノードＡから送信された送信電力制御に基づき送信電力を制御し、再度ノードＡに対し送信電力制御を送信する。ノードＡではノードＢから再度送信された電力制御に基づき送信電力が制御される。
【０１２４】
実施例６を利用するに当たっては、映像表示部が実装された機器と無線通信を行う場合において、通信状態を映像表示部以外の映像表示部と同一筐体の同一面に実装された別の表示部に表示される構成ならば良い。
【０１２５】
実施例７を利用するに当たっては、ノードＡとノードＢが無線通信を行い、さらに有線以外の方法でノードＡとノードＢの無線通信をリモートコントロールする。ノードＡとノードＢとの通信状態を、ノードＡあるいはノードＢ経由で、有線以外の方法でリモートコントロールを行うコントローラに送信し、受信したノードＡとノードＢとの通信状態をコントローラ上に表示する。かつノードＡとノードＢの無線通信をリモートコントロールする通信状態についてもコントローラ上に表示する。
【符号の説明】
【０１２６】
１…ＳＴＡ  ＢＢＬＳＩ、２…５Ｇ ＩＦ  Ｔｘ ／ Ｒｘ部、３…６０Ｇ Ｔｘ部、４…６０Ｇアンテナ、５…５Ｇアンテナ、１１…パネル  ＢＢＬＳＩ、１２…５Ｇ ＩＦ  Ｒｘ ／ Ｔｘ部、１３…６０Ｇ Ｒｘ部、１４…６０Ｇアンテナ、１５…５Ｇアンテナ、２０…ＳＴＡ送信ベースバンド信号処理部、２１…ＳＴＡ送信直交ミキサ、２２…ＳＴＡ送信ＩＦ増幅器、２５…ＳＴＡ送信９０度移相器、２３…ＳＴＡ送信ＲＦミキサ、２４…ＳＴＡ送信ＲＦ増幅器、２６…ＳＴＡ送信分周器、２７…ＳＴＡ送信ＲＦＶＣＯ、２８…ＳＴＡ受信ＶＣＯ、２９…ＳＴＡ受信９０度移相器、３０…ＳＴＡ受信ベースバンド信号処理部、３１…ＳＴＡ受信直交ミキサ、３２…ＳＴＡ受信ＬＮＡ、４３…パネル受信ＲＦＬＮＡ、４４…パネル受信ＲＦミキサ、４６…パネル受信分周器、４７…パネル受信ＲＦＶＣＯ、４０…パネル受信ベースバンド信号処理部、４１…パネル受信直交ミキサ、４２…パネル受信ＩＦＬＮＡ、４５…パネル受信９０度移相器、４８…パネル送信ＶＣＯ、４９…パネル送信９０度移相器、５０…パネル送信ベースバンド信号処理部、５１…パネル送信直交ミキサ、５２…パネル送信増幅器、７０…Ａ／Ｄ変換器７０、７１…信号レベル測定部、７２…同期部、７３…ＯＦＤＭ復調部、８０…Ｄ／Ａ変換部、８１…波形整形部、８２…振幅制御部、８３…ＯＦＤＭ変調部、９１…制御部、９２…バッファ部、１０１…ＳＴＡアンテナスイッチ、１０２…第２の５Ｇアンテナ、１０３…パネルアンテナスイッチ、１０４…第２の５Ｇアンテナ、１０５…第２の５Ｇ ＩＦ  Ｔｘ ／ Ｒｘ部、１０６…第３の５Ｇアンテナ、１０７…第４の５Ｇアンテナ、１０８…第２の５Ｇ ＩＦ  Ｒｘ ／ Ｔｘ部、１０９…第３の５Ｇアンテナ、１１０…第４の５Ｇアンテナ、１２０…ディスプレイパネル筐体、１２１…表示部、１２２…通信状態表示部、１３０…ＲＦリモコン筐体、１３１…リモコン表示部、１３２…パネル通信状態表示部、１３３…リモコン通信状態表示部、１４０…第２のＳＴＡアンテナスイッチ、１４１…第２のパネルアンテナスイッチ。
【図１】
2010252060.tif 000003
【図２】
2010252060.tif 000004
【図３】
2010252060.tif 000005
【図４】
2010252060.tif 000006
【図５】
2010252060.tif 000007
【図６】
2010252060.tif 000008
【図７】
2010252060.tif 000009
【図８】
2010252060.tif 000010
【図９】
2010252060.tif 000011
【図１０】
2010252060.tif 000012
【図１１】
2010252060.tif 000013
【図１２】
2010252060.tif 000014
【図１３】
2010252060.tif 000015
【図１４】
2010252060.tif 000016
【図１５】
2010252060.tif 000017
【図１６】
2010252060.tif 000018
【図１７】
2010252060.tif 000019
【図１８】
2010252060.tif 000020
【図１９】
2010252060.tif 000021
【図２０】
2010252060.tif 000022
【図２１】
2010252060.tif 000023
【図２２】
2010252060.tif 000024
【図２３】
2010252060.tif 000025
【図２４】
2010252060.tif 000026
【図２５】
2010252060.tif 000027
【図２６】
2010252060.tif 000028
【図２７】
2010252060.tif 000029
【図２８】
2010252060.tif 000030
【図２９】
2010252060.tif 000031
【図３０】
2010252060.tif 000032